(57)【特許請求の範囲】
【請求項１】
モバイルデバイスと基地局との間の無線リンクの特性を測定して測定値を生成することと、
前記測定値に従って、構成のセットからランダムアクセスチャネルのフォーマットを選択することと
を備える方法であって、
前記基地局から閾値のセットを受信することをさらに備え、前記閾値のセットが、測定される前記無線リンクの前記特性に関連した１つまたは複数の値を含み、前記方法がさらに、
前記基地局からシステム情報ブロックを受信することであって、前記システム情報ブロックが、利用可能なランダムアクセスチャネル構成および閾値を指定する、受信することと、
指定された前記利用可能なランダムアクセスチャネル構成から前記構成のセットを生成することと、
指定された前記閾値から前記閾値のセットを生成することと、
ランダムアクセスが起こっているコンポーネントキャリアを特定することと、
を備え、前記構成のセットおよび前記閾値のセットが、特定された前記コンポーネントキャリアにユニークである、方法。
【請求項２】
前記構成のセット内の前記構成の数が、前記閾値のセット内の前記閾値の数よりも１大きい、請求項１に記載の方法。
【請求項３】
前記測定値を前記閾値のセットと比較することと、
前記閾値のセットからの閾値の順序付けられたリスト内の、前記測定値の位置を特定することと
をさらに備える、請求項１に記載の方法。
【請求項４】
前記測定値が前記閾値のセットの第１の閾値よりも小さい場合、第１のランダムアクセスチャネルフォーマットを選択することと、
前記測定値が前記第１の閾値よりも大きい場合、第２のランダムアクセスチャネルフォーマットを選択することと
をさらに備える、請求項３に記載の方法。
【請求項５】
前記無線リンクの前記特性が、特定された前記コンポーネントキャリアにユニークである、請求項１に記載の方法。
【請求項６】
前記測定値を前記基地局に送信することと、
前記ランダムアクセスチャネルフォーマットを指定する明確なインジケーションを受信することと
をさらに備える、請求項１に記載の方法。
【請求項７】
前記特性が、経路損失、伝搬遅延、または距離のうちの少なくとも１つである、請求項１に記載の方法。
【請求項８】
ランダムアクセスプリアンブルをリソースのセットで前記基地局に送信することをさらに備え、前記ランダムアクセスプリアンブルが、選択された前記ランダムアクセスチャネルフォーマットに従って構築され、前記リソースのセットが、選択された前記ランダムアクセスチャネルフォーマットとユニークに関連している、請求項１に記載の方法。
【請求項９】
前記ランダムアクセスチャネルフォーマットが、短いサイクリックプレフィックス、短いガード時間、および短い持続時間を備える、請求項１に記載の方法。
【請求項１０】
前記ランダムアクセスチャネルフォーマットが、長いサイクリックプレフィックス、短いガード時間、および短い持続時間を備える、請求項１に記載の方法。
【請求項１１】
前記ランダムアクセスチャネルフォーマットが、長いサイクリックプレフィックス、長いガード時間、および短い持続時間を備える、請求項１に記載の方法。
【請求項１２】
前記ランダムアクセスチャネルフォーマットが、長いサイクリックプレフィックス、長いガード時間、および長い持続時間を備える、請求項１に記載の方法。
【請求項１３】
前記ランダムアクセスチャネルフォーマットが、短いサイクリックプレフィックス、短いガード時間、および長い持続時間を備える、請求項１に記載の方法。
【請求項１４】
少なくとも１つのプロセッサを備えるワイヤレス通信装置であって、前記少なくとも１つのプロセッサが、
前記ワイヤレス通信装置と基地局との間の無線リンクの特性を測定して測定値を生成し、
前記測定値に従って、構成のセットからランダムアクセスチャネルフォーマットを選択する
ように構成され、
前記少なくとも１つのプロセッサが、前記基地局から閾値のセットを受信するようにさらに構成され、前記閾値のセットが、測定される前記無線リンクの前記特性に関連した１つまたは複数の値を含み、
前記少なくとも１つのプロセッサが、さらに、
前記基地局から、利用可能なランダムアクセスチャネル構成と閾値とを指定するシステム情報ブロックを受信し、
指定された前記利用可能なランダムアクセスチャネル構成から前記構成のセットを生成し、
指定された前記閾値から前記閾値のセットを生成し、
ランダムアクセスが起こっているコンポーネントキャリアを特定する
ように構成され、前記構成のセットおよび前記閾値のセットが、特定された前記コンポーネントキャリアにユニークである、ワイヤレス通信装置。
【請求項１５】
前記少なくとも１つのプロセッサが、さらに、
前記測定値を前記閾値のセットと比較し、
前記閾値のセットからの閾値の順序付けられたリスト内の、前記測定値の位置を特定する
ように構成される、請求項１４に記載のワイヤレス通信装置。
【請求項１６】
前記無線リンクの前記特性が、特定された前記コンポーネントキャリアにユニークである、請求項１４に記載のワイヤレス通信装置。
【請求項１７】
前記少なくとも１つのプロセッサが、さらに、
前記測定値を前記基地局に送信し、
前記ランダムアクセスチャネルフォーマットを指定する明確なインジケーションを受信する
ようにさらに構成される、請求項１４に記載のワイヤレス通信装置。
【請求項１８】
前記少なくとも１つのプロセッサが、さらに、ランダムアクセスプリアンブルをリソースのセットで前記基地局に送信するように構成され、前記ランダムアクセスプリアンブルが、選択された前記ランダムアクセスチャネルフォーマットに従って構築され、前記リソースのセットが、選択された前記ランダムアクセスチャネルフォーマットとユニークに関連している、請求項１４に記載のワイヤレス通信装置。
【請求項１９】
装置であって、
前記装置と基地局との間の無線リンクの特性を測定して測定値を生成するための手段と、
前記測定値に従って、構成のセットからランダムアクセスチャネルフォーマットを選択するための手段と、
前記基地局から情報を受信するための手段と、を備え、前記受信するための手段が、前記基地局から閾値のセットを取得し、前記閾値のセットが、測定される前記無線リンクの前記特性に関連した１つまたは複数の値を含み、
前記受信するための手段が、利用可能なランダムアクセスチャネル構成と閾値とを指定するシステム情報ブロックを、前記基地局から取得し、前記装置が、
前記システム情報ブロックを評価するための手段をさらに備え、前記評価するための手段が、指定された前記利用可能なランダムアクセスチャネル構成から前記構成のセットを生成し、指定された前記閾値から前記閾値のセットを生成し、前記装置が、
ランダムアクセスが起こっているコンポーネントキャリアを特定するための手段をさらに備え、前記構成のセットおよび前記閾値のセットが、特定された前記コンポーネントキャリアにユニークである、装置。
【請求項２０】
前記測定値を前記閾値のセットと比較するための手段をさらに備える、請求項１９に記載の装置。
【請求項２１】
前記無線リンクの前記特性が、特定された前記コンポーネントキャリアにユニークである、請求項１９に記載の装置。
【請求項２２】
情報を前記基地局に送信するための手段であって、前記送信するための手段が、前記測定値を前記基地局に搬送する、手段と、
情報を前記基地局から受信するための手段であって、前記受信するための手段が、前記ランダムアクセスチャネルフォーマットを指定する明確なインジケーションを取得する、手段と
をさらに備える、請求項１９に記載の装置。
【請求項２３】
情報を前記基地局に送信するための手段をさらに備え、前記送信するための手段が、ランダムアクセスプリアンブルをリソースのセットで前記基地局に送信し、前記ランダムアクセスプリアンブルが、選択された前記ランダムアクセスチャネルフォーマットに従って構築され、前記リソースのセットが、選択された前記ランダムアクセスチャネルフォーマットとユニークに関連している、請求項１９に記載の装置。
【請求項２４】
コンピュータプログラムであって、
少なくとも１つのコンピュータに、モバイルデバイスと基地局との間の無線リンクの特性を測定させて測定値を生成させるためのコードと、
前記少なくとも１つのコンピュータに、前記測定値に従って、構成のセットからランダムアクセスチャネルフォーマットを選択させるためのコードと、
前記少なくとも１つのコンピュータに、前記基地局から閾値のセットを受信させるためのコードと、を備え、前記閾値のセットが、測定される前記無線リンクの前記特性に関連した１つまたは複数の値を含み、前記コンピュータプログラムが、
前記少なくとも１つのコンピュータに、利用可能なランダムアクセスチャネル構成と閾値とを指定するシステム情報ブロックを前記基地局から受信させるためのコードと、
前記少なくとも１つのコンピュータに、指定された前記利用可能なランダムアクセスチャネル構成から前記構成のセットを生成させるためのコードと、
前記少なくとも１つのコンピュータに、指定された前記閾値から前記閾値のセットを生成させるためのコードと、
前記少なくとも１つのコンピュータに、ランダムアクセスが起こっているコンポーネントキャリアを特定させるためのコードと、をさらに備え、前記構成のセットおよび前記閾値のセットが、特定された前記コンポーネントキャリアにユニークである、コンピュータプログラム。
【請求項２５】
前記少なくとも１つのコンピュータに、前記測定値を前記閾値のセットと比較させるためのコードと、
前記少なくとも１つのコンピュータに、前記閾値のセットからの閾値の順序付けられたリスト内の、前記測定値の位置を特定させるためのコードと
をさらに備える、請求項２４に記載のコンピュータプログラム。
【請求項２６】
前記無線リンクの前記特性が、特定された前記コンポーネントキャリアにユニークである、請求項２４に記載のコンピュータプログラム。
【請求項２７】
前記少なくとも１つのコンピュータに、前記測定値を前記基地局に送信させるためのコードと、
前記少なくとも１つのコンピュータに、前記ランダムアクセスチャネルフォーマットを指定する明確なインジケーションを受信させるためのコードと
をさらに備える、請求項２４に記載のコンピュータプログラム。
【請求項２８】
前記少なくとも１つのコンピュータにランダムアクセスプリアンブルをリソースのセットで前記基地局に送信させるためのコードをさらに備え、前記ランダムアクセスプリアンブルが、選択された前記ランダムアクセスチャネルフォーマットに従って構築され、前記リソースのセットが、選択された前記ランダムアクセスチャネルフォーマットとユニークに関連している、請求項２４に記載のコンピュータプログラム。
【請求項２９】
装置であって、
推定値を生成する測定モジュールであって、前記推定値が、前記装置と基地局との間の無線リンクの少なくとも１つの特性に関係する、測定モジュールと、
前記推定値に少なくとも一部基づいて構成のセットからランダムアクセスチャネルフォーマットを選択し、選択された前記ランダムアクセスチャネルフォーマットを使用してランダムアクセスプリアンブルを前記基地局に送信する、ランダムアクセスモジュールと、
前記基地局から閾値のセットを受信するモジュールと、を備え、前記閾値のセットが、測定される前記無線リンクの前記特性に関連した１つまたは複数の値を含み、前記装置がさらに、
前記基地局からシステム情報ブロックを受信する受信モジュールであって、前記システム情報ブロックが、利用可能なランダムアクセスチャネル構成および閾値を指定する、受信モジュールと、
指定された前記利用可能なランダムアクセスチャネル構成から前記構成のセットを生成する生成モジュールと、
指定された前記閾値から前記閾値のセットを生成する生成モジュールと、
ランダムアクセスが起こっているコンポーネントキャリアを特定する特定モジュールと、を備え、前記構成のセットおよび前記閾値のセットが、特定された前記コンポーネントキャリアにユニークである、装置。
【請求項３０】
前記基地局から受信されるシステム情報ブロックを評価するシステム情報モジュールと、
前記システム情報ブロックから抽出される、構成のセットと閾値のセットとを格納するためのメモリと
をさらに備える、請求項２９に記載の装置。
【請求項３１】
前記メモリが、前記装置がそれについて使用するように構成された各コンポーネントキャリアに関する閾値の種々異なるセットと構成の種々異なるセットとを格納する、請求項３０に記載の装置。
【請求項３２】
前記推定値を閾値のセットと比較する比較モジュールと、
前記比較モジュールからの結果に少なくとも一部基づいて、構成のセットから前記ランダムアクセスチャネルフォーマットを特定する選択モジュールと
をさらに備える、請求項２９に記載の装置。
【発明の詳細な説明】
【優先権の主張】
【０００１】
本特許出願は、２００９年８月６日出願の「ＰＨＹＳＩＣＡＬ  ＲＡＮＤＯＭ  ＡＣＣＥＳＳ  ＣＨＡＮＮＥＬ  ＣＯＮＦＩＧＵＲＡＴＩＯＮＳ」という表題の米国仮特許出願第６１／２３１，８９０号の優先権を主張する。前述の米国仮特許出願は、本出願の譲受人に譲渡され、その全体が参照によって本明細書に明示的に組み込まれる。
【技術分野】
【０００２】
以下の説明は、全般にワイヤレス通信システムに関し、より詳細には、ランダムアクセス手順の間に使用されるべき物理ランダムアクセスチャネル（ＰＲＡＣＨ）構成の動的な選択を容易にすることに関する。
【背景技術】
【０００３】
ワイヤレス通信システムが、音声やデータなどの様々なタイプの通信コンテンツを提供するために広く展開されている。典型的なワイヤレス通信システムは、利用可能なシステムリソース（例えば、帯域幅、送信出力など）を共有することによって複数のユーザとの通信をサポートすることが可能な、多重接続システムでありうる。そのような多重接続システムの例は、符号分割多重接続（ＣＤＭＡ）システム、時分割多重接続（ＴＤＭＡ）システム、周波数分割多重接続（ＦＤＭＡ）システム、直交周波数分割多重接続（ＯＦＤＭＡ）システムなどを含みうる。さらに、システムは、第３世代パートナーシッププロジェクト（３ＧＰＰ）、３ＧＰＰ２、高速パケットアクセス（ＨＳＰＡ：High Speed Packet Access）、高速ダウンリンクパケットアクセス（ＨＳＤＰＡ：High Speed Downlink Packet Access）、高速アップリンクパケットアクセス（ＨＳＵＰＡ：High Speed Uplink Packet Access）、３ＧＰＰロングタームエボリューション（ＬＴＥ）、ＬＴＥ  Ａｄｖａｎｃｅｄ（ＬＴＥ−Ａ）などの規格に準拠しうる。
【０００４】
一般に、ワイヤレス多重接続通信システムは、複数のモバイルデバイスのための通信を同時にサポートすることができる。各モバイルデバイスは、順方向および逆方向リンク上の伝送を通じて、１つまたは複数の基地局と通信することができる。順方向リンク（またはダウンリンク）は、基地局からモバイルデバイスへの通信リンクを指し、逆方向リンク（またはアップリンク）は、モバイルデバイスから基地局への通信リンクを指す。ワイヤレス通信システムは、システム内でそれぞれの場所にカバレッジを提供できる、一連のワイヤレスアクセスポイントを含むように構成されることができる。そのようなネットワーク構造は、一般にセルラーネットワーク構造と呼ばれ、アクセスポイント、および／またはアクセスポイントがネットワーク内でそれぞれサービスする場所は、一般にセルと呼ばれる。
【０００５】
モバイルデバイス、またはユーザ機器（ＵＥ）は、ワイヤレス通信ネットワーク内で１つまたは複数のセルを発見し、ワイヤレス通信サービスを利用するためにアクセスすべき少なくとも１つのセルを選択することができる。セルの発見は、同期信号の検知、セル識別子（cell identities）の決定、システムタイミングの取得などを含みうる。１つまたは複数のセルが発見されると、モバイルデバイスは、アクセスすべきセルを選択することができる。一例では、モバイルデバイスは、発見されたセルからのパイロット信号またはリファレンス信号を評価して、最も強いセル、最も近いセルなどを識別することができる。別の例では、モバイルデバイスは、モバイルデバイスがそれを通じてサービス契約しているオペレータに関連した、発見されたセルを選択することができる。
【０００６】
セルが選択されると、モバイルデバイスは、セルにアクセスするためにランダムアクセス手順を開始することができる。ランダムアクセス手順は、コンテンションベースまたはコンテンションフリーであることができる。コンテンションベースのランダムアクセス試行では、モバイルデバイスは、ランダムアクセスプリアンブルを選択し、ランダムアクセスチャネルに関連したリソース上でプリアンブルメッセージを送信する。モバイルデバイスは、タイミング調整、モバイルデバイスについての識別子、後続のメッセージのためのアップリンク許可（an uplink grant）などを含みうる、ランダムアクセス応答メッセージを受信する。モバイルデバイスは、アップリンク許可を使用して、モバイルデバイスのユニークな識別子を含むメッセージを送信することができる。その後、モバイルデバイスは、モバイルデバイスのユニークな識別子をエコーする、コンテンション解決メッセージを受信する。
【発明の概要】
【０００７】
１つまたは複数の実施形態およびその対応する開示に従って、様々な態様が、ランダムアクセスチャネル構成の動的な選択を容易にすることに関連して説明される。通常、単一ランダムアクセスチャネル構成が、セル全体にわたって利用される。しかし、用いられる構成は、セル内の一部のモバイルデバイスには適しているが、他のモバイルデバイスについては不必要なオーバーヘッドを生じうる。モバイルデバイスは、モバイルデバイスと基地局との間の無線リンクの特性を測定することができる。測定結果は、基地局によって提供される閾値のセットと比較されることができる。比較に基づいて、ランダムアクセスチャネル構成が、フォーマットのセットから選択されることができる。選択された構成は、ランダムアクセス手順を開始するために使用されることができる。
【０００８】
第１の態様によれば、モバイルデバイスと基地局との間の無線リンクの特性を測定して測定値を生成することを含みうる方法が、本明細書で説明される。さらに、方法は、測定値に従って、構成のセットからランダムアクセスチャネルフォーマットを選択することを含みうる。
【０００９】
別の態様は、ワイヤレス通信装置に関する。ワイヤレス通信装置は、ワイヤレス通信装置と基地局との間の無線リンクの特性を測定して測定値を生成するように構成された少なくとも１つのプロセッサを含みうる。加えて、少なくとも１つのプロセッサは、さらに、測定値に従って、構成のセットからランダムアクセスチャネルフォーマットを選択するように構成される。
【００１０】
さらに別の態様は、装置と基地局との間の無線リンクの特性を測定して測定値を生成するための手段を含みうる装置に関する。加えて、装置は、測定値に従って、構成のセットからランダムアクセスチャネルフォーマットを選択するための手段を、さらに含みうる。
【００１１】
さらに別の態様は、コンピュータ可読媒体を備えうるコンピュータプログラム製品に関する。コンピュータ可読媒体は、少なくとも１つのコンピュータに、モバイルデバイスと基地局との間の無線リンクの特性を測定させて測定値を生成させるためのコードを含みうる。加えて、コンピュータ可読媒体は、少なくとも１つのコンピュータに、測定値に従って、構成のセットからランダムアクセスチャネルフォーマットを選択させるためのコードを含みうる。
【００１２】
別の態様によれば、装置が説明される。装置は、推定値を生成する測定モジュールを含むことができ、該推定値は、装置と基地局との間の無線リンクの少なくとも１つの特性に関する。加えて、装置は、推定値に少なくとも一部基づいてランダムアクセスチャネルフォーマットを選択し、選択されたランダムアクセスチャネルフォーマットを使用してランダムアクセスプリアンブルを基地局に送信する、ランダムアクセスモジュールを含みうる。
【図面の簡単な説明】
【００１３】
【図１】様々な態様による、ランダムアクセスに関連したオーバーヘッドを低減することを容易にする、例示的なワイヤレス通信システムの図。
【図２】様々な態様による、例示的なプリアンブルフォーマットの図。
【図３】様々な態様による、ＵＥごとに動的なランダムアクセス構成を可能にすることを容易にする、例示的なシステムの図。
【図４】様々な態様による、ランダムアクセス構成の動的な選択を容易にする、例示的なシステムの図。
【図５】様々な態様による、ランダムアクセス構成の動的な選択を容易にする、例示的なシステムの図。
【図６】様々な態様による、コンテンションフリーのランダムアクセスのための動的なランダムアクセス構成を容易にする、例示的なシステムの図。
【図７】ランダムアクセスチャネル構成を動的に選択するための例示的な方法の図。
【図８】様々な態様による、システム情報を評価して、動的なランダムアクセスチャネル構成を容易にするための、例示的な方法の図。
【図９】少なくとも１つの閾値に基づいてチャネルフォーマットを動的に選択するための例示的な方法の図。
【図１０】コンテンションフリーのランダムアクセス手順のための、ランダムアクセスチャネルフォーマットを動的に選択するための例示的な方法の図。
【図１１】マルチキャリアシステムにおけるランダムアクセスチャネルフォーマットを動的に選択するための例示的な方法の図。
【図１２】様々な態様による、ランダムアクセスチャネル構成の動的な選択を容易にする、例示的な装置の図。
【図１３】本明細書で説明される機能の様々な態様を実施するために用いられることのできる、それぞれのワイヤレス通信デバイスのブロック図。
【図１４】本明細書で説明される機能の様々な態様を実施するために用いられることのできる、それぞれのワイヤレス通信デバイスのブロック図。
【図１５】本明細書で示される様々な態様による、ワイヤレス通信システムの図。
【図１６】本明細書で説明される様々な態様がそこにおいて機能しうる、例示的なワイヤレス通信システムを示すブロック図。
【発明を実施するための形態】
【００１４】
ここで、図面を参照して様々な実施形態が説明され、同様の参照番号は全体にわたって同様の要素を指すために使用される。以下の記述では、説明のために、１つまたは複数の実施形態の全体的な理解をもたらすために多くの具体的な詳細が示される。しかし、そのような（１つまたは複数の）実施形態がこれらの具体的な詳細なしに実施されることができることは明白である。他の例では、１つまたは複数の実施形態の説明を容易にするために、よく知られた構造およびデバイスがブロック図の形で示される。
【００１５】
本出願で用いられる用語「コンポーネント」、「モジュール」、「システム」などは、ハードウェア、ファームウェア、ハードウェアとソフトウェアの組合せ、ソフトウェア、または実行中のソフトウェアのような、コンピュータに関連したエンティティを指すことが意図される。例えば、コンポーネントは、これらに限定されるものではないが、プロセッサ上で実行される処理、プロセッサ、オブジェクト、実行可能ファイル、実行のスレッド、プログラム、および／またはコンピュータでありうる。例として、コンピューティングデバイス上で実行されるアプリケーション、およびコンピューティングデバイスの両方が、コンポーネントでありうる。１つまたは複数のコンポーネントは、プロセスおよび／または実行のスレッド内に存在することができ、コンポーネントは、１つのコンピュータ上に局在することもでき、かつ／または２つ以上のコンピュータ間に分散されることもできる。加えて、これらのコンポーネントは、様々なデータ構造がそれに格納された様々なコンピュータ可読媒体から実行することができる。コンポーネントは、例えば、１つまたは複数のデータパケット（例えば、ローカルシステム内、分散システム内の別のコンポーネントと、および／またはインターネットなどのネットワークを通じて他のシステムと、信号によって相互に通信する、あるコンポーネントからのデータ）を有する信号に従って、ローカルおよび／または遠隔の処理によって通信することができる。
【００１６】
さらに、様々な態様が、ワイヤレス端末および／または基地局に関連して本明細書で説明される。ワイヤレス端末は、ユーザに音声接続および／またはデータ接続を提供するデバイスを指しうる。ワイヤレス端末は、ラップトップコンピュータもしくはデスクトップコンピュータのようなコンピューティングデバイスに接続されることができ、または携帯情報端末（ＰＤＡ）のような自立型デバイス（self contained device）であることができる。ワイヤレス端末は、また、システム、加入者ユニット、加入者局、移動局、移動機、遠隔局、アクセスポイント、遠隔端末、アクセス端末、ユーザ端末、ユーザエージェント、ユーザデバイス、またはユーザ機器（ＵＥ）とも呼ばれうる。ワイヤレス端末は、加入者局、ワイヤレスデバイス、携帯電話、ＰＣＳ電話、コードレス電話、セッション確立プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された他の処理デバイスであることができる。基地局（例えば、アクセスポイント、Ｎｏｄｅ  Ｂ、または進化型Ｎｏｄｅ  Ｂ（ｅＮＢ））は、無線インターフェースにより１つまたは複数のセクタを通じてワイヤレス端末と通信する、アクセスネットワーク内のデバイスを指すことができる。基地局は、受信された無線インターフェースフレームをＩＰパケットに変換することによって、ワイヤレス端末と、インターネットプロトコル（ＩＰ）ネットワークを含みうるアクセスネットワークの残りの部分との間のルータとして機能することができる。基地局は、また、無線インターフェースに関する属性の管理を調整する。
【００１７】
さらに、本明細書で説明される様々な機能は、ハードウェア、ソフトウェア、ファームウェア、またはこれらの任意の組合せにおいて実装されることができる。ソフトウェアにおいて実装される場合、機能は、コンピュータ可読媒体上の１つまたは複数の命令またはコードとして、格納または伝達されることができる。コンピュータ可読媒体には、ある場所から別の場所へのコンピュータプログラムの移動を容易にする任意の媒体を含む、コンピュータ記憶媒体および通信媒体の両方が含まれる。記憶媒体は、コンピュータによりアクセスされうる任意の利用可能な媒体であることができる。限定ではなく一例として、そのようなコンピュータ可読媒体は、ＲＡＭ、ＲＯＭ、ＥＥＰＲＯＭ、ＣＤ−ＲＯＭ、もしくは他の光学ディスク記憶装置、磁気ディスク記憶装置もしくは他の磁気記憶デバイス、または所望のプログラムコードを命令もしくはデータ構造の形態で搬送もしくは格納するために使用でき、コンピュータによってアクセスできる、任意の他の媒体を備えることができる。また、任意の接続がコンピュータ可読媒体と適切に称される。例えば、ソフトウェアが、ウェブサイト、サーバ、または別の遠隔のソースから、同軸ケーブル、光ファイバケーブル、ツイストペア、デジタル加入者線（ＤＳＬ）、または赤外線、無線、およびマイクロ波のようなワイヤレス技術を使用して伝送される場合、同軸ケーブル、光ファイバケーブル、ツイストペア、ＤＳＬ、または赤外線、無線、およびマイクロ波のようなワイヤレス技術は、媒体の定義に含まれる。ディスク（ｄｉｓｋ）およびディスク（ｄｉｓｃ）は、本明細書で用いられる場合、コンパクトディスク（ＣＤ）、レーザディスク、光ディスク、デジタル多目的ディスク（ＤＶＤ）、フロッピー（登録商標）ディスクおよびブルーレイディスク（ＢＤ）を含み、ディスク（ｄｉｓｋ）は通常データを磁気的に再生し、ディスク（ｄｉｓｃ）はデータをレーザにより光学的に再生する。また、上記の組合せも、コンピュータ可読媒体の範囲内に含まれるべきである。
【００１８】
本明細書で説明される様々な技術は、符号分割多重接続（ＣＤＭＡ）システム、時分割多重接続（ＴＤＭＡ）システム、周波数分割多重接続（ＦＤＭＡ）システム、直交周波数分割多重接続（ＯＦＤＭＡ）システム、シングルキャリアＦＤＭＡ（ＳＣ−ＦＤＭＡ）システム、および他のそのようなシステムなど、様々なワイヤレス通信システムに使用されることができる。用語「システム」および「ネットワーク」は、本明細書ではしばしば交換可能に用いられる。ＣＤＭＡシステムは、ユニバーサル地上無線アクセス（ＵＴＲＡ：Universal Terrestrial Radio Access）、ＣＤＭＡ２０００、高速パケットアクセス（ＨＳＰＡ）、高速ダウンリンクパケットアクセス（ＨＳＤＰＡ）、高速アップリンクパケットアクセス（ＨＳＵＰＡ）などのような無線技術を実装することができる。ＵＴＲＡには、広帯域ＣＤＭＡ（Ｗ−ＣＤＭＡ）およびＣＤＭＡの他の変形形態が含まれる。加えて、ＣＤＭＡ２０００は、ＩＳ−２０００、ＩＳ−９５、およびＩＳ−８５６規格をカバーする。ＴＤＭＡシステムは、モバイル通信用グローバルシステム（ＧＳＭ（登録商標）：Global System for Mobile Communications）のような無線技術を実装することができる。ＯＦＤＭＡシステムは、進化型ＵＴＲＡ（Ｅ−ＵＴＲＡ）、ウルトラモバイルブロードバンド（ＵＭＢ：Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）などのような無線技術を実装することができる。ＵＴＲＡおよびＥ−ＵＴＲＡは、ユニバーサルモバイルテレコミュニケーションシステム（ＵＭＴＳ：Univeral Mobile Telecommunication System）の一部である。３ＧＰＰロングタームエボリューション（ＬＴＥ）は、ダウンリンクでＯＦＤＭＡを使用し、アップリンクでＳＣ−ＦＤＭＡを使用する、Ｅ−ＵＴＲＡを用いたリリースである。ＨＳＰＡ、ＨＳＤＰＡ、ＨＳＵＰＡ、ＵＴＲＡ、Ｅ−ＵＴＲＡ、ＵＭＴＳ、ＬＴＥ、ＬＴＥ−Ａ、ＳＡＥ、ＥＰＣ、およびＧＳＭは、「第３世代パートナーシッププロジェクト」（３ＧＰＰ）という名称の組織からの文書に記載されている。さらに、ＣＤＭＡ２０００およびＵＭＢは、「第３世代パートナーシッププロジェクト２」（３ＧＰＰ２）という名称の組織からの文書で説明されている。さらに、そのようなワイヤレス通信システムには、さらに、非ペアのライセンスを受けていないスペクトル、８０２．ｘｘワイヤレスＬＡＮ、ＢＬＵＥＴＯＯＴＨ（登録商標）、および任意の他の短距離または長距離のワイヤレス通信技術をしばしば使用する、ピアツーピア（例えば移動機間）のアドホックネットワークシステムが含まれる。明瞭にするために、ＷＣＤＭＡ、ＨＳＰＡ、ＨＳＤＰＡ、およびＨＳＵＰＡに関連する用語が、以下の説明において使用される。しかし、本明細書に添付される特許請求の範囲は、特に明記しない限り、ＷＣＤＭＡ、ＨＳＰＡ、ＨＳＤＰＡ、およびＨＳＵＰＡに限定されることを意図していないことを理解されたい。
【００１９】
さらに、用語「または」は、排他的な「または」ではなく包含的な「または」を意味することが意図される。すなわち、特に指定のない限り、または文脈から明らかでない限り、「ＸはＡまたはＢを使用する」という表現は、自然な包含的な置き替え（natural inclusive permutations）のいずれをも意味することが意図される。すなわち、「ＸはＡまたはＢを使用する」という表現は、ＸはＡを使用する、ＸはＢを使用する、またはＸはＡとＢの両方を使用するという事例のいずれによっても満たされる。加えて、本出願および添付の特許請求の範囲で用いられる冠詞「ａ」および「ａｎ」は、特に指定のない限り、または文脈から単数形を指すことが明らかでない限り、一般に「１つまたは複数の」を意味すると解釈されるべきである。
【００２０】
様々な態様が、複数のデバイス、コンポーネント、モジュールなどを含むことのできるシステムに関して示される。様々なシステムが、追加のデバイス、コンポーネント、モジュールなどを含むことができ、かつ／または図面に関連して論じられるデバイス、コンポーネント、モジュールなどの必ずしもすべてを含まなくてもよいことを、理解し認識されたい。これらの手法の組合せも、用いることができる。
【００２１】
ここで図面を参照すると、図１は、様々な態様による、ランダムアクセスに関連したオーバーヘッドを低減することを容易にする、例示的なワイヤレス通信システム１００を示す。ワイヤレス通信システム１００は、基地局またはｅＮｏｄｅＢ（ｅＮＢ）１１０と、第１のユーザ機器（ＵＥ）１２０と、第２のＵＥ１３０とを含む。ｅＮＢ１１０およびＵＥ１２０は、ワイヤレスリンクを通じて互いに通信することができる。例えば、ｅＮＢ１１０は、ダウンリンクチャネルを通じてＵＥ１２０に情報を送信することができ、ＵＥ１２０は、アップリンクチャネルを通じてｅＮＢ１１０に情報を送信することができる。同様に、ＵＥ１３０は、また、それぞれのアップリンクチャネルおよび／またはダウンリンクチャネルを通じてｅＮＢ１１０と通信することができる。図１では、説明を容易にするために、１つのｅＮＢ（例えばｅＮＢ１１０）および２つのＵＥ（例えばＵＥ１２０および１３０）だけが示されているが、システム１００は、任意の数のＵＥおよび／またはｅＮＢを含みうることを理解されたい。
【００２２】
加えて、ｅＮＢ１１０は、基地局、アクセスポイント、ｅＮｏｄｅＢ、進化型ＮｏｄｅＢ、ＮｏｄｅＢなどと呼ばれうる。ＵＥ１２０およびＵＥ１３０は、モバイルデバイス、モバイル端末、移動局、局、ワイヤレス端末などと呼ばれうる。さらに、システム１００は、３ＧＰＰ  ＬＴＥまたはＬＴＥ−Ａワイヤレスネットワーク、ＷＣＤＭＡワイヤレスネットワーク、ＯＦＤＭＡワイヤレスネットワーク、ＣＤＭＡネットワーク、３ＧＰＰ２  ＣＤＭＡ２０００ネットワーク、ＥＶ−ＤＯネットワーク、ＷｉＭＡＸネットワーク、ＨＳＰＡネットワークなどにおいて動作することができることを理解されたい。以下に記載する諸態様は、ＬＴＥネットワークおよび／またはＬＴＥ無線接続技術に関してＬＴＥの用語を用いて説明されるが、本明細書で説明される技術は、上記のネットワーク内、ならびに、他のワイヤレスネットワークおよび／または無線接続技術において使用されうることを理解されたい。
【００２３】
一態様では、ｅＮＢ１１０は、ある地理的エリアにワイヤレス通信のカバレッジを提供することができる。カバーされる地理的エリアは、ｅＮＢ１１０の示されたセルでありうる。通常、ＵＥ１２０および１３０は、セルサーチを実行してｅＮＢ１１０を検出することができる。セルサーチの間、ＵＥ１２０および／またはＵＥ１３０は、ｅＮＢ１１０によってサービス提供されるセルのようなセルとの周波数およびシンボル同期を取得し、セルのフレームタイミングを取得し、セルに関連した物理層セル識別子（physical-layer cell identity）を確かめることができる。一態様では、ＬＴＥは、５０４個の別々の物理層セル識別子をサポートし、セル識別子のこのセットはさらに、それぞれが３つのセル識別子を含む１６８個のセル識別子グループに分割される。
【００２４】
セルサーチを容易にするために、ｅＮＢ１１０は、第１同期信号（ＰＳＳ：primary synchronization signal）および第２同期信号（ＳＳＳ：secondary synchronization signal）を送信することができる。一態様では、ＰＳＳは、端部が５つの０で拡張された、ダウンリンクの中央の７３個のサブキャリアにマッピングされる、長さ６３のＺａｄｏｆｆ−Ｃｈｕ系列であることができる。ＰＳＳは、３つの異なる値のうちの１つをとることができ、各値はセル識別子グループの中のセル識別子を指定する。ＰＳＳを検出した後、ＵＥ１２０および／またはＵＥ１３０は、ｅＮＢ１１０に関連したセル識別子グループ内のセル識別子およびセルのスロットタイミング（例えば５ｍｓのタイミング）を決定することができる。ＰＳＳ検出後、ＵＥ１２０および１３０は、ｅＮＢ１１０によって送信されるＳＳＳを検出することができる。一態様では、ＳＳＳは、一緒にインターリーブされた長さ３１の２つのＭ系列でありうる。ＳＳＳは、１６８個の異なる値のうちの１つをとることができ、各値はセル識別子グループを指定する。ＳＳＳを検出した後、ＵＥ１２０および１３０は、無線フレームタイミング、ｅＮＢ１１０に関連した物理層セル識別子、サイクリックプレフィックス長、および周波数分割複信（ＦＤＤ）が使用されるか時分割複信（ＴＤＤ）が使用されるかを、決定することができる。ＳＳＳ検出後、ＵＥ１２０およびＵＥ１３０は、物理ブロードキャストチャネル（ＰＢＣＨ）上でブロードキャストされたシステム情報を復号することに移ることができる。具体的には、ＰＢＣＨ上のシステム情報は、帯域幅の情報、ＰＨＩＣＨ構成情報および／またはシステムフレーム番号を搬送する、マスター情報ブロックを含みうる。その後、ＵＥ１２０およびＵＥ１３０は、ランダムアクセス手順を開始することができる。
【００２５】
上記の初期アクセスに加えて、ランダムアクセス手順は、様々な状況で開始されうる。例えば、ＵＥ１２０および／またはＵＥ１３０は、新たなアップリンクデータまたはアップリンク制御情報を有するが、アップリンク同期を欠いていることがある。別の例では、ＵＥ１２０および／または１３０は、受信すべき新たなダウンリンクデータを有するが、アップリンク上で対応する肯定応答／否定応答を送信するのに必要とされるアップリンク同期を欠いていることがある。さらなる例では、ＵＥ１２０およびＵＥ１３０は、ランダムアクセス手順を使用して、ハンドオーバーを実行する、または無線リンク障害から回復することができる。
【００２６】
ランダムアクセス手順は、コンテンションベースまたはコンテンションフリーであることができる。コンテンションベースのランダムアクセスでは、各ＵＥは、ランダムアクセスプリアンブルをランダムに選ぶ。したがって、１つよりも多くのＵＥが同一のプリアンブルを同時に送信する可能性が存在する。そのような状況では、同一のプリアンブルを受信する基地局は、コンテンション解決処理を実行する。ＵＥが新しいダウンリンクデータを有する場合および／またはＵＥがハンドオーバーに関わる場合の状況で使用されることができる、コンテンションフリーのランダムアクセスによって、基地局は、専用のプリアンブルをＵＥに割り当てて、あらゆるコンテンションを避けることができる。
【００２７】
通常、コンテンションベースのランダムアクセスは、４つのステップを含む。第１のステップでは、ＵＥ（例えばＵＥ１２０またはＵＥ１３０）は、事前に構成された構造またはフォーマットに従って、ランダムアクセスプリアンブルを送信する。ＵＥは、複数のプリアンブルから送信すべきプリアンブルをランダムに１つ選択する。一例では、複数のプリアンブルは、６４個のプリアンブルを含みうる。しかしながら、より少ないまたはより多くの数のプリアンブルが、ＵＥによる選択に利用可能でありうることを理解されたい。プリアンブルは、ランダムアクセスプリアンブル送信のために割り当てられた時間−周波数リソースのセットである、物理ランダムアクセスチャネル（ＰＲＡＣＨ）上で送信される。時間−周波数リソースのセットは、システム情報ブロックにおいて示されることができる。
【００２８】
ランダムアクセスプリアンブルの送信に応答して、基地局（例えばｅＮＢ１１０）は、物理ダウンリンク共有チャネル（ＰＤＳＣＨ）のようなダウンリンクチャネル上でメッセージを送信する。メッセージは、基地局が検出したランダムアクセスプリアンブルのインデックス、タイミング補正、ランダムアクセス手順の第３のステップのためのアップリンクリソースを示すスケジューリング許可（scheduling grant）、および一時的なセル無線ネットワークの一時的な識別子（Ｃ−ＲＮＴＩ）のような一時的な識別子を含みうる。
【００２９】
ＵＥは、メッセージを得ると、基地局によって検出されたプリアンブルのインデックスを、ＵＥによって送信されたプリアンブルと比較する。一致した場合、ＵＥは、コンテンションベースのランダムアクセスの第３のステップで、端末識別メッセージを送信する。メッセージは、接続要求、トラッキングエリア更新情報、スケジューリング要求、および／またはＵＥの識別子を含みうる。識別子は、既に割り当てられたＣ−ＲＮＴＩ（例えば、ＵＥは接続されているがアップリンクの同期を失っている）またはコアネットワーク端末識別子（例えば、ＵＥは初期アクセスを実行している）でありうる。コンテンションベースのランダムアクセスの最後のステップで、基地局は、コンテンション解決メッセージを送信する。コンテンション解決メッセージは、第３のステップにおいて受信された端末識別子をエコーする。ＵＥは、コンテンション解決メッセージを受信すると、含まれる識別子をステップ３で送信された識別子と比較する。一致が観察された場合、ランダムアクセスは成功したと見なされる。
【００３０】
コンテンションフリーのランダムアクセスは、３つのステップを含みうる。第１のステップでは、基地局がＵＥに専用のプリアンブルを割り当てる。ＵＥは、割り当てられたプリアンブルを使用して、ランダムアクセスプリアンブルメッセージを基地局に送信する。基地局は、ランダムアクセス応答メッセージで応答する。
【００３１】
以上で論じたように、ＵＥは、通常、事前に構成された構造またはフォーマットに従って、ランダムアクセスプリアンブルを送信する。例えば、ＦＤＤ動作については、プリアンブルフォーマットは、４つのフォーマットのセットのうちの１つであることができ、ＴＤＤ動作については、フォーマットは、５つのフォーマットのセットのうちの１つであることができる。簡単に図２を参照すると、例示的なプリアンブルフォーマットが示されている。様々なサイズの周波数および／または時間領域、様々なコンテンツ、様々なサイズの構成要素などを備える代替的な構造が、本明細書に添付される特許請求の範囲内にあることが意図されることを考慮すると、特許請求される主題は、図２に示される例示的なプリアンブルフォーマットに限定されないことを理解されたい。
【００３２】
フォーマット０〜１の４つのフォーマットが、図２に示される。フォーマットは、サイクリックプレフィックス（ＣＰ）の持続時間および／またはプリアンブル系列の持続時間によって区別されることができる。各フォーマットに関連したガード時間（ＧＴ：guard time）が含められ、フォーマットを整数ミリ秒まで拡張するのに十分な持続時間となるように決定される。例えば、フォーマット０では、サイクリックプレフィックスは、０．１ｍｓの持続時間であることができ、プリアンブル系列は、０．８ｍｓの持続時間であることができる。したがって、ガード時間は、フォーマット０の全持続時間が１ｍｓとなるように、０．１ｍｓの持続時間であることができる。別の例では、フォーマット１は、持続時間が０．６８ｍｓのサイクリックプレフィックスと、０．８ｍｓのプリアンブル系列と、０．５２ｍｓのガード時間とを含んで、全長が２ｍｓとなることができる。フォーマット２は、全持続時間２ｍｓについて、０．２ｍｓのサイクリックプレフィックスと、１．６ｍｓのプリアンブル系列と、０．２ｍｓのガード時間とを含むことができる。フォーマット３は、全持続時間３ｍｓについて、０．６８のサイクリックプレフィックスと、１．６ｍｓのプリアンブル系列と、０．７２ｍｓのガード時間とを含むことができる。追加のフォーマットであるフォーマット４（図示せず）がＴＤＤ動作で使用されることができる。フォーマット４では、プリアンブルはＵｐＰＴＳに含まれる。
【００３３】
一態様では、各フォーマットは、様々なサイズのセルに適応するように設計される。通常、より大きなセルでは、ＵＥのロケーション（例えばセル端部の近く、基地局の近くなど）が未知であり、したがって伝搬遅延が未知であるので、タイミングの不確実性が大きくなる。従来、より大きなセルでは、ランダムアクセス専用ではない後続のサブフレームと干渉することなく遠くのユーザがプリアンブルメッセージを送信できるようにするのに十分な窓を提供するために、より大きなサイクリックプレフィックスおよびガード時間をもつ、より長いフォーマットが使用される。別の態様では、大きなセルは、より大きな経路損失をまねきうるので、より長いプリアンブル系列が、検出器（例えば基地局）において十分なエネルギーを提供するために使用される。
【００３４】
従来のＬＴＥベースのシステムでは、単一のフォーマットがセル全体にわたって使用される。フォーマットは、セルのサイズに少なくとも一部基づいて選択され、より大きなセルは、より長いフォーマット、ならびに／または、より長いサイクリックプレフィックスおよび／もしくはガード時間をもつフォーマットを使用する。フォーマットは、システム情報ブロックにおいて指定される。例えば、パラメータ、ｐｒａｃｈ−ＣｏｎｆｉｇＩｎｄｅｘが、適切なフォーマットのインデックスを示すためにシステム情報ブロックの中に含まれることができる（例えば、インデックス０はフォーマット０に対応するなど）。それゆえに、フォーマット、したがってランダムアクセスオーバーヘッドは、セル端部におけるＵＥの最悪の状況に備えるために、セルのサイズによって決定される。
【００３５】
図１に示されるように、異なるＵＥは、セル内の基地局から異なる距離にあることができる。例えば、ＵＥ１２０は、ｅＮＢ１１０から第１の距離ｄ１のところにあることができ、ＵＥ１３０は、ｅＮＢ１１０から、ｄ１よりも長い第２の距離ｄ２のところにあることができる。一例では、ＵＥ１２０はｅＮＢ１１０の近くにあることができる一方で、ＵＥ１３０はセル端部の近くに位置する。従来のシステムでは、単一のフォーマットがセルについて構成されるので、ＵＥ１２０は、セル端部のユーザ向けのプリアンブルフォーマットを使用し、これによりＵＥ１２０について追加のオーバーヘッドが生じる。
【００３６】
一態様では、複数のランダムアクセスフォーマットが、セルに関して構成され、セル内のＵＥによって動的に選択されることができる。ｅＮＢ１１０に近い、ＵＥ１２０のようなＵＥは、より小さなセル向けに設計されたフォーマット（例えば、より短いサイクリックプレフィックス、より短いガード時間、より短い全持続時間）を選択することができ、一方、ｅＮＢ１１０から遠く離れた、ＵＥ１３０のようなＵＥは、より大きなセル向けに設計されたフォーマット（例えば、より長いサイクリックプレフィックス、より長いガード時間、より長い全持続時間）を選択することができる。種々異なるフォーマット間の干渉を避けるために、各フォーマットインデックスは、種々異なる時間−周波数リソースにより構成され、システム情報ブロックにおいて指定されることができる。
【００３７】
図３を見ると、様々な態様による、ランダムアクセス構成の動的な選択を容易にするシステム３００が示されている。システム３００は、前の図に関して説明した、ｅＮＢ１１０およびＵＥ１２０を含むことができる。ＵＥ１２０は、ダウンリンクチャネルおよびアップリンクチャネルを通じて、ｅＮＢ１１０と通信するように構成されることができる。
【００３８】
一態様では、ＵＥ１２０は、ランダムアクセスプリアンブル３０２をｅＮＢ１１０に送信することによって、ランダムアクセス手順を開始することができる。ＵＥ１２０は、ランダムアクセス手順を開始して、ｅＮＢ１１０に最初にアクセスし、アップリンク同期を再獲得し、ハンドオーバーを実行し、または無線リンク障害から回復することができる。プリアンブル系列は、プリアンブル系列のセットからランダムに選択される。ランダムアクセスプリアンブルメッセージ３０２は、ｅＮＢ１１０によってブロードキャストされるシステム情報ブロック３０４において指定されるリソース上で送信される。加えて、ランダムアクセスプリアンブル３０２のフォーマットは、システム情報ブロック３０４において供給される情報に少なくとも一部基づく。
【００３９】
より具体的には、システム情報ブロック３０４は、複数のランダムアクセス構成またはフォーマットインデックスを指定することができる。各インデックスは、リンク品質メトリックに関する１つまたは複数の閾値に関連付けられることができる。簡略な例において、２つのプリアンブルフォーマットを含む、利用可能な構成のセットを考える。システム情報ブロック３０４は、単一の閾値を含むことができる。閾値は、経路損失、伝搬遅延、ｅＮＢ１１０からの距離、または他の何らかの同様のメトリックに関連しうる。ＵＥ１２０による測定結果が閾値を下回るときには、ＵＥ１２０は、ランダムアクセスプリアンブル３０２を送信するときに使用すべき、２つのプリアンブルフォーマットのうち第１のフォーマットを選択する。測定結果が閾値を上回るときには、ＵＥ１２０は、他のプリアンブルフォーマットを利用する。経路損失に関係する閾値を考える。測定された経路損失が閾値を下回るときには、チャネル条件は、十分に満足なものであり、および／またはＵＥ１３０は、オーバーヘッドを低減するプリアンブルフォーマット（例えば、より短い持続時間、サイクリックプレフィックス、および／またはガード時間を有するフォーマット）を使用することを正当化するのに十分にｅＮＢ１１０に近い。しかし、測定された経路損失が閾値を超えるときには、チャネル条件および／またはｅＮＢ１１０からの距離は、よりオーバーヘッドの大きいフォーマット（例えば、より長い持続時間、サイクリックプレフィックス、および／またはガード時間を有するフォーマット）が推奨されるようなものである。利用可能な構成のセットが２つよりも多くのプリアンブルフォーマットを含むシステムに一般化すると、各フォーマットは、少なくとも１つの閾値に関連付けられることができる。例えば、第１のフォーマットは、測定結果が第１の閾値を下回るときに使用されることができ、第２のフォーマットは、測定結果が第１の閾値を上回るが第２の閾値は下回るときに利用されることができる、などである。
【００４０】
ｅＮＢ１１０は、システム情報ブロック３０４に含まれるべき１つまたは複数の閾値を確かめる閾値決定モジュール３１２を含むことができる。閾値決定モジュール３１２は、閾値のセットを提供し、セットの中の閾値の数は、利用可能なフォーマットの数に基づく。一例では、閾値の数は、利用可能なフォーマットの数よりも１小さい。一態様では、閾値決定モジュール３１２は、対応するタイミング遅延を有する経路損失モデルを利用して、閾値のセットを確立することができる。伝搬遅延（例えば、電磁波が送信機と受信機との間の距離を進むのに必要な時間）は、送信機と受信機との間の距離に直接関係する。距離は、さらに、経路損失に直接関係する。したがって、距離と、伝搬遅延と、経路損失との間には関係が存在する。異なる伝搬遅延には異なるランダムアクセスプリアンブルフォーマットが良い。例えば、伝搬遅延が小さい近隣のユーザは、より短い持続時間、サイクリックプレフィックス、および／またはガード時間を有するフォーマット使用することができる。しかし、伝搬遅延が大きい遠く離れたユーザは、タイミングの不確実性の増大を考慮するために、より長い持続時間、サイクリックプレフィックス、および／またはガード時間を有するフォーマットによって、最も良好にサービスされる。したがって、閾値決定モジュール３１２は、その境界点を下回ると第１のフォーマットがより優れた性能を提供し、その境界点を上回ると第２のフォーマットがより良好な性能を提供する、境界点のところに、閾値を確立することができる。閾値は、ｅＮＢ１１０の周りの環境の変化、ｅＮＢ１１０によってサービスされるセル内のチャネル条件の変化などを考慮するために、時間とともに調整されることができる。
【００４１】
ｅＮＢ１１０は、さらに、システム情報ブロック３０４を生成するシステム情報モジュール３１４を含むことができる。システム情報モジュール３１４は、システム情報ブロック３０４に閾値のセットを組み込む。加えて、システム情報モジュール３１４は、異なるフォーマットを利用してランダムアクセスプリアンブルのために種々異なるタイムスロット（例えば異なる時間−周波数リソース）を割り当てることができる。例えば、各フォーマットは、フォーマット間の衝突を避けるために、ユニークなタイムスロットを割り当てられることができる。
【００４２】
加えて、ｅＮＢ１１０は、ランダムアクセス手順を実行するように構成されたランダムアクセスモジュール３１６を含むことができる。例えば、ランダムアクセスモジュール３１６は、ランダムアクセスプリアンブル３０２および／または他のＵＥ（図示せず）によって送信される他のプリアンブルの検出を容易にすることができる。一態様では、利用可能な各プリアンブルフォーマットについて決定されたタイムスロットのスケジュールに基づいて、ランダムアクセスモジュール３１６は、特定のランダムアクセス送信インスタンス中に特定のプリアンブルフォーマットを検出するように構成されることができる。この方式では、ランダムアクセスモジュール３１６は、プリアンブル自体に加えてランダムアクセスフォーマットを無分別に検出することを避ける。しかしながら、ランダムアクセスモジュール３１６は、そのような無分別な検出を実行することができ、特許請求される主題はそのような特徴を包含するものと考えられることを理解されたい。別の態様では、ランダムアクセスモジュール３１６は、ランダムアクセス応答メッセージ（例えばステップ２のメッセージ）を生成して送信し、端末識別子メッセージ（例えばステップ３のメッセージ）を検出して分析し、かつ／またはコンテンション解決メッセージを生成して送信することができる。
【００４３】
システム３００においてさらに示されるように、ｅＮＢ１１０は、プロセッサ３１７および／またはメモリ３１９を含むことができ、該プロセッサ３１７および／またはメモリ３１９を利用して、閾値決定モジュール３１２、システム情報モジュール３１４、ランダムアクセスモジュール３１６の機能、および／または本明細書で説明されるｅＮＢ１１０の他のモジュールまたは機能の、一部またはすべてを実装することができる。
【００４４】
図４を参照すると、様々な態様による、ランダムアクセス構成の動的な選択を容易にするシステム４００が示されている。システム４００は、前の図に関して説明されたように、ｅＮＢ１１０とＵＥ１２０とを含むことができる。ＵＥ１２０は、ランダムアクセス手順を実行するように構成されたランダムアクセスモジュール４１２と、ＵＥ１２０とｅＮＢ１１０との間の無線リンクに関連した少なくとも１つの値の測定値を生成するように構成された測定モジュール４１４とを含むことができる。
【００４５】
ランダムアクセスモジュール４１２は、系列のグループからプリアンブル系列をランダムに選択して、ランダムアクセスプリアンブルの一部として送信することができる。加えて、ランダムアクセスモジュール４１２は、プリアンブルを送信するときに使用すべきランダムアクセスチャネルフォーマットまたは構成を動的に選択することができる。一例では、ランダムアクセスモジュール４１２は、ｅＮＢ１１０によってブロードキャストされるシステム情報ブロックに含まれる少なくとも１つの閾値との比較に基づいて、フォーマットを選択することができる。測定モジュール４１４は、ｅＮＢ１１０とＵＥ１２０との間の無線リンクの特性に関する値を評価することができる。例えば、測定モジュール４１４は、経路損失、伝搬遅延、および／またはｅＮＢ１１０とＵＥ１２０との間の距離を推定することができる。ランダムアクセスモジュール４１２は、測定された値を少なくとも１つの閾値と比較して、プリアンブルを送信するときに使用すべき適切なフォーマットを選択することができる。別の態様では、ランダムアクセスモジュール４１２は、選択されたフォーマットに関連したランダムアクセスタイムスロットの間に、選択されたフォーマットに従って、プリアンブルを生成して送信することができる。
【００４６】
システム４００においてさらに示されるように、ＵＥ１２０は、プロセッサ４１６および／またはメモリ４１８を含むことができ、該プロセッサ４１６および／またはメモリ４１８を利用して、ランダムアクセスモジュール４１２、測定モジュール４１４の機能、および／または本明細書で説明されるＵＥ１２０の他のモジュールまたは機能の、一部またはすべてを実装することができる。
【００４７】
図５は、様々な態様による、ランダムアクセス構成の動的な選択を容易にするシステム５００を示す。前述のように、ｅＮＢ１１０は、ランダムアクセスについて関連のある情報を含む、１つまたは複数のシステム情報ブロックをブロードキャストすることができる。例えば、１つまたは複数のシステム情報ブロックは、これらに限定するものではないが、利用可能なＰＲＡＣＨ構成（例えばプリアンブルフォーマット）、閾値、ランダムアクセスリソース（例えばフォーマットごとのベースで、または集合体で）などのような情報またはパラメータを指定することができる。ＵＥ１２０のシステム情報モジュール５１２は、ランダムアクセス手順を実装するため、ランダムアクセスモジュール４１２の構成を容易にするために、１つまたは複数のシステム情報ブロックを評価することができる。システム情報モジュール５１２は、１つまたは複数のシステム情報ブロックから情報を抽出して、閾値のセット５１４および／または構成のセット５１６を生成することができる。一態様では、ＵＥ１２０のメモリ４１８は、閾値のセット５１４および構成のセット５１６を格納する。
【００４８】
構成のセット５１６は、ＵＥ１２０に利用可能な、かつ／またはｅＮＢ１１０によってサポートされる、ランダムアクセスチャネル（ＰＲＡＣＨ）フォーマットまたは構成を含むことができる。構成のセット５１６は、図２に関して前述した例示的なフォーマットのようなすべての利用可能なフォーマット、またはすべての利用可能なフォーマットのサブセットを含むことができる。例えば、ｅＮＢ１１０は、より長い持続時間、サイクリックプレフィックス、および／またはガード時間を有するフォーマットが、有意義な利益を伴うことなく追加のオーバーヘッドをまねくような、サイズの小さいセルをサービスしうる。したがって、構成のセット５１６は、そのようなフォーマットを除外することができる。別の例では、ｅＮＢ１１０は、大きなセル（例えば最大セルサイズを有するセル）をサービスすることが可能であり、その場合、ＵＥが、最悪の状況に耐えて適切なフォーマットを選択できるようにすべてのフォーマットが利用可能であることができる。
【００４９】
閾値のセット５１４は、プリアンブルフォーマットの選択を容易にするために使用可能な１つまたは複数の閾値を含むことができる。一態様では、閾値のセット５１４は、構成のセット５１６に含まれるフォーマットの数よりも１少ない数の閾値を含むことができる。閾値のセット５１４の中の閾値は、ＵＥ１２０とｅＮＢ１１０との間の無線リンクの特性に関連しうる。例えば、閾値は、経路損失の値、伝搬遅延の値、距離の値などでありうる。
【００５０】
ＵＥ１２０の測定モジュール４１４は、距離、遅延、経路損失などのようなリンク特性の値を測定または推定することができる。測定モジュール４１４は、ｅＮＢ１１０とＵＥ１２０との間の無線リンクに関連した経路損失を測定または推定するように構成された、経路損失推定モジュール５０８を含むことができる。加えて、経路損失推定モジュール５０８は、距離の測定および／または伝搬遅延の測定から、経路損失を推定することができる。測定モジュール４１４は、無線リンクに関連した伝搬遅延を測定または推定するように構成された、遅延推定モジュール５１０をさらに含むことができる。遅延推定モジュール５１０は、さらに、距離測定結果および／または経路損失測定結果から伝搬遅延を推定することができる。
【００５１】
測定モジュール４１４は、ランダムアクセスチャネルフォーマットの動的な選択を容易にするために、ランダムアクセスモジュール４１２に測定値を提供する。以上で論じたように、測定値は、距離の値、経路損失の値、伝搬遅延の値などでありうる。測定値は、閾値のセット５１４に含まれる値と同様の語であることができ、または異なる用語であることもできる。例えば、ランダムアクセスモジュール４１２は、閾値のセット５１４に関する無線リンクの評価を容易にするために、測定値を変換する、または他の方法で関係付けることができる。
【００５２】
ランダムアクセスモジュール４１２は、閾値のセット５１４に対して測定値を評価する比較モジュール５０２を含むことができる。一態様では、比較モジュール５０２は、閾値のセット５１４の中の閾値が順序付けられたときに測定値がどこにあたるかを特定する。選択モジュール５０４は、閾値のセット５１４に対して測定値がどこに存在するかに基づいて、構成のセット５１６からチャネルフォーマットを選択する。例えば、測定値が閾値のセット５１４の最低の閾値を下回るときには、選択モジュール５０４は、第１の構成を選ぶことができる。測定値が最低の閾値は上回るが次に高い閾値は下回るときには、選択モジュール５０４は第２の構成を選び、以下同様である。測定値と、どの構成が選択されるかということとの関係は、閾値により表される特性によって決まる。例えば、閾値のセット５１４が経路損失閾値を含むときには、最低の閾値よりも低いことは、短い持続時間、サイクリックプレフィックス、および／またはガード期間を有する構成が選択されることができることを示唆しうる。測定値が最低の閾値と次に高い閾値との間にあるときには、選択モジュール５０４は、比較的大きな持続時間、サイクリックプレフィックス、および／またはガード期間を有する構成を選ぶことができ、以下同様である。プリアンブルモジュール５０６は、プリアンブル系列をランダムに選択し、ランダムアクセスプリアンブルメッセージを生成することができ、ランダムアクセスプリアンブルメッセージを生成することは、選択された構成に従う。
【００５３】
別の態様によれば、ｅＮＢ１１０およびＵＥ１２０は、複数のコンポーネントキャリアを使用するように構成されることができる。例えば、ｅＮＢ１１０およびＵＥ１２０は、コンポーネントキャリアのセット５２０を通じて通信することができ、該コンポーネントキャリアのセット５２０は、キャリア−１  ５２２からキャリア−Ｎ  ５２４を含み、ここでＮは１以上の整数である。２つのキャリアが図５に示されているが、ｅＮＢ１１０およびＵＥ１２０は、単一のキャリア、２つのキャリア、３つのキャリアなど、最大でシステム５００に利用可能な最大数のコンポーネントキャリアで動作するように構成されうることを理解されたい。キャリアのセット５２０内の各キャリアは、完全な無線インターフェースを包含しうる。例えば、キャリアのセット５２０内の各キャリアは、ＬＴＥまたはＬＴＥ−Ａ無線インターフェースをそれぞれ含みうるので、キャリアのセット５２０は、それぞれ、これらに限定するものではないが、物理ダウンリンク共有チャネル（ＰＤＳＣＨ）、物理ダウンリンク制御チャネル（ＰＤＣＣＨ）、物理アップリンク共有チャネル（ＰＵＳＣＨ）、物理アップリンク制御チャネル（ＰＵＣＣＨ）、物理ブロードキャストチャネル（ＰＢＣＨ）などのような、複数のダウンリンクおよびアップリンクの論理チャネル、トランスポートチャネル、および物理チャネルを含む。したがって、ＵＥ１２０は、キャリアのセット５２０の中の１つのキャリアを通じて、完全なワイヤレス通信サービスを得ることができる。加えて、キャリアのセット５２０の中の２つ以上のキャリアを利用することで、より大きなデータレートが達成されることができる。一例では、コンポーネントキャリアのセット５２０は、ＬＴＥリリース８キャリア（または別のワイヤレス通信システムのキャリア）の集合体であることができ、レガシーＵＥは、単一のコンポーネントキャリアを利用することができ、一方、先進のＵＥは、１つまたは複数のコンポーネントキャリアを使用することができる。ＬＴＥまたはＬＴＥ−Ａのコンポーネントキャリアおよびチャネルが以上で説明されたが、添付の特許請求の範囲は、そのようなシステムだけに限定されず、キャリアのセット５２０は、ＷＣＤＭＡキャリア、ＨＳＰＡキャリア、ＣＤＭＡ２０００キャリアなどであることができることを理解されたい。
【００５４】
キャリアのセット５２０内の各キャリアは、異なるカバレッジおよび／または異なる経路損失を有しうる。ｅＮＢ１１０は、キャリアのセット５２０内の各キャリアでシステム情報ブロックをブロードキャストして、利用可能なランダムアクセスチャネル構成および／または各キャリアにユニークな閾値を提供することができる。別の態様では、キャリアのセット５２０内のキャリアは、類似性に従ってグループ化されることができ、各グループは、異なる利用可能な構成および／または閾値と関連付けられる。ＵＥ１２０は、キャリアのセット５２０内の各キャリアおよび／またはキャリアのグループについて、構成のセットおよび閾値のセットを別々に管理することができる。加えて、ＵＥ１２０は、各キャリアまたはキャリアのグループを監視して、適切なチャネル構成の選択を容易にする測定値を評価することができる。ＵＥ１２０は、ランダムアクセスがそれに対して行われるキャリアのセット５２０内のコンポーネントキャリアに関連した利用可能な構成のセット、閾値のセット、および測定値に基づいて、構成を選択することができる。
【００５５】
図６は、様々な態様による、コンテンションフリーのランダムアクセスのための動的なランダムアクセス構成を容易にするシステム６００を示す。システム６００は、ＵＥ１２０、ｅＮＢ１１０、ランダムアクセスモジュール３１６、ランダムアクセスモジュール４１２、および測定モジュール４１４を含むことができ、これらは、前の図に関して以上で説明した、同様に番号が付けられたコンポーネントと実質的に同様であることができ、同様の機能を果たすことができる。通常、コンテンションフリーのランダムアクセスでは、ＵＥ１２０は、明確なプリアンブル系列と明確なマスクインデックスとを備え、これらは、ｅＮＢ１１０によってサービスされるセル全体にわたってブロードキャストされる、単一の構成インデックスに対して調整される。オーバーヘッドを低減しつつ効率的な性能を提供する動的な構成の選択をサポートするために、ＵＥ１２０は、ｅＮＢ１１０に送信するべき測定報告を生成する測定報告モジュール６０２を含むことができる。測定報告は、測定モジュール４１４によって生成される測定値を含むことができる。例えば、測定値は、経路損失の測定結果であることができ、測定報告は、経路損失の報告であることができる。ｅＮＢ１１０は、報告を分析する測定評価モジュール６０４と、報告に基づいて構成を選択する構成モジュール６０６とを含むことができる。ｅＮＢ１１０は、選択された構成に関連したインデックスをＵＥ１２０に信号で送ることができる。
【００５６】
図７〜１１を参照すると、ランダムアクセスチャネルの動的な選択を容易にすることに関する方法が説明される。方法は、前述のシステム１００、３００、４００、５００および／または６００によって実施されることができる。説明を簡単にするために、方法は、一連の動作として示され記載されるが、１つまたは複数の実施形態によれば、いくつかの動作は本明細書で示され記載される順序とは異なる順序で行われうる、および／または他の動作と同時に行われうるので、方法は、動作の順序によって限定されないことを理解し認識されたい。例えば、方法は、代替的に、状態図におけるように、相互に関連した一連の状態または事象として表されることができることを、当業者は理解し認識するだろう。さらに、１つまたは複数の実施形態に従って方法を実施するために、示されている必ずしもすべての動作が必要とされるわけではない。
【００５７】
図７を参照すると、ランダムアクセスチャネル構成を動的に選択するための方法７００が示される。例えば、方法７００は、ランダムアクセスについて最適な構成を選択するために、ユーザ機器（例えばＵＥ１２０または１３０）によって使用されることができる。参照番号７０２において、無線リンクの特性が測定されて、測定値を生成することができる。特性を測定することは、経路損失、伝搬遅延、または距離のうちの少なくとも１つを推定することを含むことができる。参照番号７０４において、ランダムアクセスチャネルフォーマットが構成のセットから選択されることができる。一例では、ランダムアクセスチャネルフォーマットは、短いサイクリックプレフィックス、短いガード時間、および短い持続時間を含むことができる。別の例では、ランダムアクセスチャネルフォーマットは、長いサイクリックプレフィックス、短いガード時間、および短い持続時間を含むことができる。さらに別の例では、ランダムアクセスチャネルフォーマットは、長いサイクリックプレフィックス、長いガード時間、および短い持続時間を有することができる。さらに別の例では、ランダムアクセスチャネルは、長いサイクリックプレフィックス、長いガード時間、および長い持続時間を含むことができる。さらに、選択されたランダムアクセスチャネルフォーマットは、短いサイクリックプレフィックス、短いガード時間、および長い持続時間を含むことができる。
【００５８】
参照番号７０６において、ランダムアクセスプリアンブルは、選択されたフォーマットに従って基地局に送信されることができる。ランダムアクセスプリアンブルは、選択されたフォーマットに基づいて構築されることができ、選択されたフォーマットにユニークに関連したリソースのセットで送信されることができる。
【００５９】
ここで図８を参照すると、動的なランダムアクセスチャネル構成を容易にするためにシステム情報を評価するための方法８００が示されている。参照番号８０２において、基地局によって送信されたシステム情報ブロックが受信される。一態様では、システム情報ブロックは、利用可能なランダムアクセスチャネル構成、閾値、ランダムアクセスプリアンブルの送信に割り当てられたリソースなどを指定することができる。参照番号８０４において、構成のセットが、システム情報ブロック内の利用可能なランダムアクセスチャネル構成から生成される。参照番号８０６において、閾値のセットが、システム情報ブロックに含まれる閾値から生成される。
【００６０】
図９は、少なくとも１つの閾値に基づいてチャネルフォーマットを動的に選択するための方法９００を示す。参照番号９０２において、測定結果が閾値のセットと比較される。測定結果を閾値のセットと比較することは、閾値のセットから閾値の順序付けられたリスト内の測定結果の位置を特定することを含むことができる。参照番号９０４において、ランダムアクセスチャネルフォーマットが比較に基づいて選択される。一例では、測定結果が閾値のセットのうちの第１の閾値を下回るときには、第１のランダムアクセスチャネルフォーマットが選択されることができ、測定結果が第１の閾値を超えるときには、第２のランダムアクセスチャネルフォーマットが選択されることができる。上記の比較および選択の方式は、複数の閾値および複数のフォーマットに拡張されうることを理解されたい。参照番号９０６において、選択されたフォーマットに従って、ランダムアクセスプリアンブルが基地局に送信されることができる。
【００６１】
図１０は、コンテンションフリーのランダムアクセス手順のためにランダムアクセスチャネルフォーマットを動的に選択するための方法１０００を示す。参照番号１００２において、測定結果が基地局に報告される。参照番号１００４において、ランダムアクセスチャネルフォーマットの明確なインジケーションが受信される。参照番号１００６において、示されたフォーマットが、ランダムアクセスプリアンブルを基地局に送信するために使用される。
【００６２】
図１１は、マルチキャリアシステムにおいてランダムアクセスチャネルフォーマットを動的に選択するための方法１１００を示す。参照番号１１０２において、ランダムアクセスが起こっているコンポーネントキャリアが特定される。参照番号１１０４において、測定値が推定され、該測定値は、特定されたコンポーネントキャリアと関連付けられる。参照番号１１０６において、測定値は、閾値のセットと比較されることができる。参照番号１１０８において、ランダムアクセスチャネル構成が、比較に基づいて構成のセットから選択される。一態様では、構成のセットおよび閾値のセットは、特定されたコンポーネントキャリアにユニークである。参照番号１１１０において、ランダムアクセスプリアンブルが、選択された構成に従って基地局に送信される。
【００６３】
本明細書で説明される１つまたは複数の態様によれば、無線リンクの特性を推定すること、閾値を決定すること、構成を選択することなどに関して、推論が行われうることが理解されるだろう。本明細書で使用される用語「推論する」または「推論」は、一般に、事象および／またはデータを通じて捕えられた観測結果のセットから、システム、環境、および／またはユーザの状態について判断を下す、または推論する処理を指す。例えば、推論は、特定の状況または動作を識別するために使用されることができ、または、複数の状態にわたる確率分布を生み出すことができる。推論は、確率的なもの、すなわち、データおよびイベントの考慮に基づいた、関心のある複数の状態にわたる確率分布の計算でありうる。推論は、また、事象および／またはデータのセットから、より高いレベルの事象を構成するために使用される技術も指しうる。そのような推論は、観測された事象のセットおよび／または格納された事象データ、事象が時間的に近接して相関しているか否か、ならびに事象およびデータが１つの事象およびデータソースから来ているか、またはいくつかの事象およびデータソースから来ているかということから、新たな事象または動作の構築をもたらす。
【００６４】
次に図１２を参照すると、ランダムアクセスチャネル構成の動的な選択を容易にする装置１２００が示される。装置１２００は、機能ブロックを含むものとして表されており、これらの機能ブロックは、プロセッサ、ソフトウェア、またはそれらの組合せ（例えばファームウェア）によって実装される機能を表す機能ブロックでありうることを理解されたい。装置１２００は、モバイルデバイス（例えばＵＥ１２０またはＵＥ１３０）および／または他の任意の適切なネットワークエンティティによって実装されることができる。装置１２００は、無線リンクの特性を測定して測定値を生成するためのモジュール１２０２と、測定値に従って構成のセットからランダムアクセスチャネルフォーマットを選択するためのモジュール１２０４とを含むことができる。さらに、装置１２００は、基地局から情報を受信するためのオプションのモジュール１２０６と、システム情報ブロックを評価するためのオプションのモジュール１２０８と、ランダムアクセスが起こっているコンポーネントキャリアを特定するためのオプションのモジュール１２１０と、測定値を閾値のセットと比較するためのオプションのモジュール１２１２と、基地局に情報を送信するためのオプションのモジュール１２１４とを含むことができる。加えて、装置１２００は、モジュール１２０２〜１２１４に関連した機能を実行するための命令を保持するメモリ１２１６を含むことができる。
【００６５】
図１３は、本明細書で説明される機能の様々な態様を実装するために利用されることのできる、別のシステム１３００のブロック図である。一例では、システム１３００はモバイルデバイス１３０２を含む。示されるように、モバイルデバイス１３０２は、１つまたは複数のアンテナ１３０８を通じて、１つまたは複数の基地局１３０４から（１つまたは複数の）信号を受信し、１つまたは複数の基地局１３０４に送信することができる。加えて、モバイルデバイス１３０２は、（１つまたは複数の）アンテナ１３０８から情報を受信する受信機１３１０を備えることができる。一例では、受信機１３１０は、受信された情報を復調する復調器（Ｄｅｍｏｄ）１３１２と動作可能に接続されることができる。復調されたシンボルは、次いで、プロセッサ１３１４によって分析されることができる。プロセッサ１３１４は、メモリ１３１６に結合されることができ、メモリ１３１６は、モバイルデバイス１３０２に関連したデータおよび／またはプログラムコードを格納することができる。モバイルデバイス１３０２は、また、（１つまたは複数の）アンテナ１３０８を通じた送信機１３２０による送信のために信号を多重化できる、変調器１３１８を含むことができる。
【００６６】
図１４は、本明細書で説明される機能の様々な態様を実装するために利用されることのできるシステム１４００のブロック図である。一例では、システム１４００は、基地局または基地局１４０２を含む。示されるように、基地局１４０２は、１つまたは複数の受信（Ｒｘ）アンテナ１４０６を通じて１つまたは複数のＵＥ１４０４から（１つまたは複数の）信号を受信し、１つまたは複数の送信（Ｔｘ）アンテナ１４０８を通じて１つまたは複数のＵＥ１４０４に送信することができる。加えて、基地局１４０２は、（１つまたは複数の）受信アンテナ１４０６から情報を受信する受信機１４１０を備えることができる。一例では、受信機１４１０は、受信された情報を復調する復調器（Ｄｅｍｏｄ）１４１２と動作可能に接続されることができる。復調されたシンボルは、次いで、プロセッサ１４１４によって分析されることができる。プロセッサ１４１４は、メモリ１４１６に結合されることができ、メモリ１４１６は、コードクラスタ、アクセス端末割当て、それに関連した参照テーブル、ユニークなスクランブリングシーケンス、および／または他の適切なタイプの情報に関連した情報を格納することができる。基地局１４０２は、また、（１つまたは複数の）送信アンテナ１４０８を通じた送信機１４２０による送信のために信号を多重化できる、変調器１４１８を含むことができる。
【００６７】
ここで図１５を参照すると、ワイヤレス通信システム１５００が、本明細書で提示される様々な実施形態に従って示される。システム１５００は、複数のアンテナグループを含みうる基地局（例えばアクセスポイント）１５０２を備える。例えば、１つのアンテナグループは、アンテナ１５０４および１５０６を含むことができ、別のグループは、アンテナ１５０８および１５１０を備えることができ、他のグループは、アンテナ１５１２および１５１４を含むことができる。２つのアンテナが各アンテナグループに関して示されているが、より多く、またはより少ないアンテナが各グループに関して利用されることができる。基地局１５０２は、送信機チェーンおよび受信機チェーンを追加的に含むことができ、それらの各々は、当業者には理解されるように、信号の送信および受信に関連する複数のコンポーネント（例えば、プロセッサ、変調器、マルチプレクサ、復調器、デマルチプレクサ、アンテナなど）を備えることができる。
【００６８】
基地局１５０２は、ＵＥ１５１６およびＵＥ１５２２のような１つまたは複数のＵＥと通信することができる。ただし、基地局１５０２は、ＵＥ１５１６および１５２２に類似した実質的に任意の数のＵＥと通信できることを理解されたい。ＵＥ１５１６および１５２２は、例えば、携帯電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１５００を通じて通信するための他の任意の適切なデバイスであることができる。示されるように、ＵＥ１５１６は、アンテナ１５１２および１５１４と通信しており、アンテナ１５１２および１５１４は、ダウンリンク１５１８を通じてＵＥ１５１６に情報を送信し、アップリンク１５２０を通じてＵＥ１５１６から情報を受信する。さらに、ＵＥ１５２２は、アンテナ１５０４および１５０６と通信しており、アンテナ１５０４および１５０６は、ダウンリンク１５２４を通じてＵＥ１５２２に情報を送信し、アップリンク１５２６を通じてＵＥ１５２２から情報を受信する。周波数分割複信（ＦＤＤ）システムでは、例えば、ダウンリンク１５１８は、アップリンク１５２０によって使用されるのとは異なる周波数帯を利用することができ、ダウンリンク１５２４は、アップリンク１５２６によって使用されるのとは異なる周波数帯を使用することができる。さらに、時分割複信（ＴＤＤ）システムでは、ダウンリンク１５１８およびアップリンク１５２０は、共通の周波数帯を利用することができ、ダウンリンク１５２４およびアップリンク１５２６は、共通の周波数帯を利用することができる。
【００６９】
アンテナのグループおよび／またはアンテナがそこで通信するように指定されるエリアは、それぞれ、基地局１５０２のセクタと呼ばれうる。例えば、アンテナグループは、基地局１５０２によってカバーされるエリアのセクタ内のＵＥに通信するように設計されることができる。ダウンリンク１５１８および１５２４を通じた通信では、基地局１５０２の送信アンテナは、ビームフォーミングを利用して、ＵＥ１５１６および１５２２に関するダウンリンク１５１８および１５２４の信号対雑音比を改善することができる。また、基地局１５０２は、ビームフォーミングを利用して、関連したカバレッジにわたってランダムに散在するＵＥ１５１６および１５２２に送信するが、隣接セル内のＵＥは、単一のアンテナを通じてそのすべてのＵＥに送信する基地局と比較して、少ない干渉にさらされることができる。さらに、ＵＥ１５１６および１５２２は、ピアツーピアまたはアドホック技術（図示せず）を用いて、互いに直接通信することができる。
【００７０】
一例によれば、システム１５００は、多入力多出力（ＭＩＭＯ）通信システムであることができる。さらに、システム１５００は、ＦＤＤ、ＦＤＭ、ＴＤＤ、ＴＤＭ、ＣＤＭなど、通信チャネル（例えばダウンリンク、アップリンクなど）を分割するために、実質的に任意のタイプの複信技術を利用することができる。加えて、通信チャネルは、チャネルを通じた複数のデバイスまたはＵＥとの同時通信を可能にするために直交されることができ、この点について、一例ではＯＦＤＭが利用されることができる。したがって、チャネルは、ある時間期間にわたって周波数の部分に分割されることができる。加えて、フレームは、一群の時間期間にわたって周波数の部分として定義されることができ、したがって、例えばフレームはいくつかのＯＦＤＭシンボルを備えることができる。基地局１５０２は、様々なタイプのデータについて作り出されることのできるチャネルを通じてＵＥ１５１６および１５２２に通信することができる。例えば、チャネルは、様々なタイプの一般通信データ、制御データ（例えば、他のチャネルに関する品質情報、チャネルを通じて受信されるデータに関する肯定応答インジケータ、干渉情報、リファレンス信号など）、および／または同様のものを通信するために作り出されることができる。
【００７１】
ワイヤレス多重接続通信システムは、複数のワイヤレスアクセス端末のための通信を同時にサポートすることができる。前述したように、各端末は、順方向リンクおよび逆方向リンク上の伝送を通じて１つまたは複数の基地局と通信することができる。順方向リンク（またはダウンリンク）は、基地局から端末への通信リンクを指し、逆方向リンク（またはアップリンク）は、端末から基地局への通信リンクを指す。この通信リンクは、単一入力単一出力システム、多入力多出力（「ＭＩＭＯ」）システム、または他の何らかのタイプのシステムを通じて構築されることができる。
【００７２】
ＭＩＭＯシステムは、データ伝送のために複数（ＮT個）の送信アンテナおよび複数（ＮR個）の受信アンテナを使用する。ＮT個の送信アンテナおよびＮR個の受信アンテナによって形成されるＭＩＭＯチャネルは、ＮS個の独立したチャネルに分解されることができ、それらは、また、空間チャネルとも呼ばれ、ここで、ＮS≦ｍｉｎ｛ＮT，ＮR｝である。ＮS個の独立したチャネルの各々は、次元に対応する。ＭＩＭＯシステムは、複数の送信アンテナおよび受信アンテナによって作り出される追加の次元が利用される場合、改善された性能（例えば、より高いスループットおよび／またはより高い信頼性）を提供することができる。
【００７３】
ＭＩＭＯシステムは、時分割複信（ＴＤＤ）および周波数分割複信（ＦＤＤ）をサポートすることができる。ＴＤＤシステムでは、順方向リンク伝送と逆方向リンク伝送とが同一の周波数領域にあるので、相互性の原理により、逆方向リンクチャネルから順方向リンクチャネルの推定が可能となる。これにより、アクセスポイントは、複数のアンテナが該アクセスポイントにおいて利用可能なときに、順方向リンク上の送信ビームフォーミング利得を引き出すことが可能になる。
【００７４】
図１６は、例示的なワイヤレス通信システム１６００を示す。簡潔にするために、ワイヤレス通信システム１６００は、１つの基地局１６１０と１つのアクセス端末１６５０とを示す。しかしながら、システム１６００は、２つ以上の基地局および／または２つ以上のアクセス端末を含むことができ、追加の基地局および／またはアクセス端末は、以下で説明される例示的な基地局１６１０およびアクセス端末１６５０と実質的に同様であることもでき、異なることもできることを、理解されたい。加えて、基地局１６１０および／またはアクセス端末１６５０は、本明細書で説明されるシステム（図１、２、３、４、５、６および１２）および／または方法（図７〜１１）を使用して、それらの間のワイヤレス通信を容易にすることができることを理解されたい。
【００７５】
基地局１６１０において、複数のデータストリームのためのトラフィックデータが、データソース１６１２から送信（ＴＸ）データプロセッサ１６１４に提供される。一例によれば、各データストリームは、それぞれのアンテナを通じて送信されることができる。ＴＸデータプロセッサ１６１４は、符号化されたデータを提供するために、そのデータストリームについて選択された特定の符号化方式に基づいて、トラフィックデータストリームをフォーマットし、符号化し、インターリーブする。
【００７６】
各データストリームについて符号化されたデータは、直交周波数分割多重化（ＯＦＤＭ）技術を用いてパイロットデータと多重化されることができる。追加的に、または代替的に、パイロットシンボルは、周波数分割多重化（ＦＤＭ）される、時分割多重化（ＴＤＭ）される、または符号分割多重化（ＣＤＭ）されることもできる。パイロットデータは、通常、既知の方法で処理される既知のデータパターンであり、チャネル応答を推定するためにアクセス端末１６５０において使用されることができる。各データストリームに関する多重化されたパイロットおよび符号化されたデータは、そのデータストリームについて選択された特定の変調方式（例えば、２相位相変調（ＢＰＳＫ）、４相位相変調（ＱＰＳＫ）、多相位相変調（Ｍ−ＰＳＫ）、多値振幅位相変調（Ｍ−ＱＡＭ）など）に基づいて変調され（例えば、シンボルマッピングされ）て、変調シンボルを提供することができる。各データストリームに関するデータレート、符号化、および変調は、プロセッサ１６３０によって実行または提供される命令によって決定されることができる。
【００７７】
データストリームに関する変調シンボルは、ＴＸ  ＭＩＭＯプロセッサ１６２０に提供されることができ、ＴＸ  ＭＩＭＯプロセッサ１６２０は、（例えばＯＦＤＭのために）変調シンボルをさらに処理することができる。次いで、ＴＸ  ＭＩＭＯプロセッサ１６２０は、ＮT個の変調シンボルストリームを、ＮT個の送信機（「ＴＭＴＲ」）１６２２ａ〜１６２２ｔに与える。様々な実施形態において、ＴＸ  ＭＩＭＯプロセッサ１６２０は、ビームフォーミング重みを、データストリームのシンボルと、シンボルがそこから送信されているアンテナとに適用する。
【００７８】
各送信機１６２２は、それぞれのシンボルストリームを受信および処理して１つまたは複数のアナログ信号を提供し、さらに、アナログ信号を調整（例えば、増幅、フィルタリングおよびアップコンバート）して、ＭＩＭＯチャネルを通じた伝送に適した、変調された信号を提供する。さらに、送信機１６２２ａ〜１６２２ｔからのＮT個の変調された信号は、それぞれ、ＮT個のアンテナ１６２４ａ〜１６２４ｔから送信される。
【００７９】
アクセス端末１６５０において、送信された変調された信号は、ＮR個のアンテナ１６５２ａ〜１６５２ｒにより受信され、各アンテナ１６５２からの受信された信号は、それぞれの受信機（「ＲＣＶＲ」）１６５４ａ〜１６５４ｒに提供される。各受信機１６５４は、それぞれの信号を調整（例えば、フィルタリング、増幅、およびダウンコンバート）し、調整された信号をデジタル化してサンプルを提供し、サンプルをさらに処理して、対応する「受信された」シンボルストリームを提供する。
【００８０】
ＲＸデータプロセッサ１６６０は、ＮR個の受信機１６５４からのＮR個の受信されたシンボルストリームを、特定の受信機処理技術に基づいて受信および処理して、ＮT個の「検出された」シンボルストリームを提供することができる。ＲＸデータプロセッサ１６６０は、検出された各シンボルストリームを復調し、デインターリーブし、復号して、データストリームについてトラフィックデータを回復することができる。ＲＸデータプロセッサ１６６０による処理は、基地局１６１０におけるＴＸ  ＭＩＭＯプロセッサ１６２０およびＴＸデータプロセッサ１６１４により実行される処理と相補的なものである。
【００８１】
プロセッサ１６７０は、前述したように利用可能な技術のうちのどれを利用すべきかを定期的に決定することができる。さらに、プロセッサ１６７０は、マトリクスインデックス部分とランク値部分とを備える、逆方向リンクメッセージを作成することができる。
【００８２】
逆方向リンクメッセージは、通信リンクおよび／または受信されたデータストリームに関する様々なタイプの情報を備えることができる。逆方向リンクメッセージは、データソース１６３６から複数のデータストリームについてのトラフィックデータも受信するＴＸデータプロセッサ１６３８によって処理され、変調器１６８０により変調され、送信機１６５４ａ〜１６５４ｒにより調整され、基地局１６１０に送信し戻されることができる。
【００８３】
基地局１６１０において、アクセス端末１６５０からの変調された信号は、アンテナ１６２４によって受信され、受信機１６２２によって調整され、復調器１６４０によって復調され、ＲＸデータプロセッサ１６４２によって処理されて、アクセス端末１６５０によって送信された逆方向リンクメッセージを抽出する。さらに、プロセッサ１６３０は、抽出されたメッセージを処理して、ビームフォーミング重みを決定するためにどのプリコーディングマトリクスを使用すべきかを決定することができる。
【００８４】
プロセッサ１６３０および１６７０は、それぞれ、基地局１６１０およびアクセス端末１６５０における操作を指示（例えば、制御、調整、管理など）することができる。それぞれのプロセッサ１６３０および１６７０は、プログラムコードおよびデータを格納するメモリ１６３２および１６７２と接続されることができる。プロセッサ１６３０および１６７０は、また、それぞれ、アップリンクおよびダウンリンクについて周波数およびインパルス応答の推定を導き出すために計算を実行することができる。
【００８５】
一態様では、論理チャネルは、制御チャネルとトラフィックチャネルとに分類される。論理制御チャネルは、ブロードキャスト制御チャネル（ＢＣＣＨ）を含むことができ、ＢＣＣＨは、システム制御情報をブロードキャストするためのＤＬチャネルである。さらに、論理制御チャネルは、ページング制御チャネル（ＰＣＣＨ）を含むことができ、ＰＣＣＨは、ページング情報を転送するＤＬチャネルである。さらに、論理制御チャネルは、マルチキャスト制御チャネル（ＭＣＣＨ）を備えることができ、ＭＣＣＨは、１つまたはいくつかのＭＴＣＨについて、マルチメディアブロードキャストおよびマルチキャストサービス（ＭＢＭＳ）スケジューリングおよび制御情報を送信するために使用される、ポイントツーマルチポイントのＤＬチャネルである。一般に、無線リソース制御（ＲＲＣ）接続を確立した後、このチャネルは、ＭＢＭＳ（例えば古いＭＣＣＨ＋ＭＳＣＨ）を受信するＵＥによってのみ使用される。さらに、論理制御チャネルは、専用制御チャネル（ＤＣＣＨ）を含むことができ、ＤＣＣＨは、専用の制御情報を伝送するポイントツーポイントの双方向チャネルであり、ＲＲＣ接続を有するＵＥによって使用されることができる。一態様では、論理トラフィックチャネルは、専用トラフィックチャネル（ＤＴＣＨ）を備えることができ、ＤＴＣＨは、ユーザ情報の転送のための、１つのＵＥに専用のポイントツーポイントの双方向チャネルである。また、論理トラフィックチャネルは、トラフィックデータを伝送するための、ポイントツーマルチポイントのＤＬチャネルのためのマルチキャストトラフィックチャネル（ＭＴＣＨ）を含むことができる。
【００８６】
一態様では、トランスポートチャネルは、ＤＬとＵＬとに分類される。ＤＬトランスポートチャネルは、ブロードキャストチャネル（ＢＣＨ）と、ダウンリンク共有データチャネル（ＤＬ−ＳＤＣＨ）と、ページングチャネル（ＰＣＨ）とを備える。ＰＣＨは、セル全体にわたってブロードキャストされることによって、そして他の制御／トラフィックチャネルに使用されうる物理層（ＰＨＹ）リソースにマッピングされることによって、ＵＥの省電力をサポートすることができる（例えば、不連続受信（ＤＲＸ）サイクルがネットワークによりＵＥに示されうる、など）。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）、および複数のＰＨＹチャネルを備えることができる。
【００８７】
ＰＨＹチャネルは、ＤＬチャネルとＵＬチャネルとのセットを含みうる。例えば、ＤＬ  ＰＨＹチャネルは、共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当てチャネル（ＳＵＡＣＨ）、肯定応答チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、および／または負荷インジケータチャネル（ＬＩＣＨ）を含みうる。さらなる例示として、ＵＬ  ＰＨＹチャネルは、物理ランダムアクセスチャネル（ＰＲＡＣＨ）、チャネル品質インジケータチャネル（ＣＱＩＣＨ）、肯定応答チャネル（ＡＣＫＣＨ）、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）、および／またはブロードバンドパイロットチャネル（ＢＰＩＣＨ）を含みうる。
【００８８】
本明細書で開示される諸実施形態に関連して説明される、様々な例示的な論理、論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラム可能な論理デバイス、ディスクリートゲートまたはトランジスタロジック、ディスクリートハードウェアコンポーネント、または本明細書で説明される機能を実行するように設計されたこれらの任意の組合せにより、実装または実施されることができる。汎用プロセッサは、マイクロプロセッサであることができるが、代替的には、プロセッサは、任意の従来のプロセッサ、コントローラ、マイクロコントローラ、またはステートマシンであることもできる。プロセッサは、また、コンピューティングデバイスの組合せとして、例えば、ＤＳＰとマイクロプロセッサの組合せ、複数のマイクロプロセッサ、ＤＳＰコアと協働する１つまたは複数のマイクロプロセッサ、または他の任意のそのような構成として実装されることができる。加えて、少なくとも１つのプロセッサは、上で説明された１つまたは複数のステップおよび／または動作を実行するように動作可能な、１つまたは複数のモジュールを備えることができる。
【００８９】
さらに、本明細書で開示される諸態様に関連して説明された方法またはアルゴリズムのステップおよび／もしくは動作は、ハードウェアにおいて直接に、プロセッサによって実行されるソフトウェアモジュールにおいて、またはこれら２つの組合せで具現化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の任意の形態の記憶媒体内に存在することができる。例示的な記憶媒体は、プロセッサに結合されることができ、したがって、プロセッサは、記憶媒体から情報を読み取り、記憶媒体に情報を書き込むことができる。あるいは、記憶媒体は、プロセッサと一体であることもできる。さらに、いくつかの態様では、プロセッサおよび記憶媒体は、ＡＳＩＣ内に存在することができる。加えて、ＡＳＩＣは、ユーザ端末内に存在することもできる。代替的に、プロセッサおよび記憶媒体は、ユーザ端末内に個別のコンポーネントとして存在することもできる。加えて、いくつかの態様では、方法またはアルゴリズムのステップおよび／または動作は、コンピュータプログラム製品に組み込まれることのできる、機械可読媒体および／またはコンピュータ可読媒体上のコードおよび／または命令のうちの１つ、またはそれらの任意の組合せもしくはセットとして存在することができる。
【００９０】
実施形態が、ソフトウェア、ファームウェア、ミドルウェアまたはマイクロコード、プログラムコードまたはコードセグメントにおいて実装されるときには、それらは、記憶コンポーネントのような機械可読媒体に格納されうる。コードセグメントは、プロシージャ、関数、サブプログラム、プログラム、ルーチン、サブルーチン、モジュール、ソフトウェアパッケージ、クラス、または、命令、データ構造、もしくはプログラムステートメントの任意の組合せを表すことができる。コードセグメントは、情報、データ、引数、パラメータ、またはメモリコンテンツを受け渡しかつ／または受信することによって、別のコードセグメントまたはハードウェア回路に結合されることができる。情報、引数、パラメータ、データなどは、メモリ共有、メッセージ受け渡し、トークン受け渡し、ネットワーク伝送などを含む任意の適切な手段を用いて、受け渡される、転送される、または送信されることができる。
【００９１】
ソフトウェア実装では、本明細書で説明される技術は、本明細書で説明される機能を実行するモジュール（例えば、プロシージャ、関数など）によって実装されることができる。ソフトウェアコードは、メモリユニットに格納され、プロセッサによって実行されることができる。メモリユニットは、プロセッサの内部またはプロセッサの外部に実装されることができ、プロセッサの外部に実装される場合、メモリユニットは、当技術分野で知られている様々な手段により、プロセッサに通信可能に結合されることができる。
【００９２】
上で説明されたことは、１つまたは複数の実施形態の例を含む。当然、前述の実施形態を説明するためにコンポーネントまたは方法の考案可能なすべての組合せを説明することはできないが、様々な実施形態の多くのさらなる組合せおよび置換が可能であることが、当業者には認識される。したがって、説明される実施形態は、添付の特許請求の範囲の趣旨および範囲内に収まる、すべてのそのような変更、修正、および変形を包含することが意図されている。さらに、発明を実施するための形態または特許請求の範囲のいずれかにおいて用語「含む」が使用される場合、そのような用語は、用語「備える」が請求項において移行語として使用される場合に解釈されるのと同様に、包含的であることが意図されている。さらに、発明を実施するための形態または特許請求の範囲のいずれかにおいて用いられる用語「または」は、「非排他的なまたは」であることが意図されている。
以下に本願発明の当初の特許請求の範囲に記載された発明を付記する。
［Ｃ１］
モバイルデバイスと基地局との間の無線リンクの特性を測定して測定値を生成することと、
前記測定値に従って、構成のセットからランダムアクセスチャネルのフォーマットを選択することと
を備える方法。
［Ｃ２］
前記基地局から閾値のセットを受信することをさらに備え、前記閾値のセットが、測定される前記無線リンクの前記特性に関連した１つまたは複数の値を含む、Ｃ１に記載の方法。
［Ｃ３］
前記基地局からシステム情報ブロックを受信することであって、前記システム情報ブロックが、利用可能なランダムアクセスチャネル構成および閾値を指定する、受信することと、
指定された前記利用可能なランダムアクセスチャネル構成から前記構成のセットを生成することと、
指定された前記閾値から前記閾値のセットを生成することと
をさらに備える、Ｃ２に記載の方法。
［Ｃ４］
前記構成のセットのサイズが、前記閾値のセットのサイズよりも１大きい、Ｃ３に記載の方法。
［Ｃ５］
前記測定値を前記閾値のセットと比較することと、
前記閾値のセットからの閾値の順序付けられたリスト内の、前記測定値の位置を特定することと
をさらに備える、Ｃ２に記載の方法。
［Ｃ６］
前記測定値が前記閾値のセットの第１の閾値よりも小さい場合、第１のランダムアクセスチャネルフォーマットを選択することと、
前記測定値が前記第１の閾値よりも大きい場合、第２のランダムアクセスチャネルフォーマットを選択することと
をさらに備える、Ｃ５に記載の方法。
［Ｃ７］
ランダムアクセスが起こっているコンポーネントキャリアを特定することをさらに備え、前記無線リンクの前記特性および前記構成のセットが、特定された前記コンポーネントキャリアにユニークである、Ｃ１に記載の方法。
［Ｃ８］
前記測定値を前記基地局に送信することと、
前記ランダムアクセスチャネルフォーマットを指定する明確なインジケーションを受信することと
をさらに備える、Ｃ１に記載の方法。
［Ｃ９］
前記特性が、経路損失、伝搬遅延、または距離のうちの少なくとも１つである、Ｃ１に記載の方法。
［Ｃ１０］
ランダムアクセスプリアンブルをリソースのセットで前記基地局に送信することをさらに備え、前記ランダムアクセスプリアンブルが、選択された前記ランダムアクセスチャネルフォーマットに従って構築され、前記リソースのセットが、選択された前記ランダムアクセスチャネルフォーマットとユニークに関連している、Ｃ１に記載の方法。
［Ｃ１１］
前記ランダムアクセスチャネルフォーマットが、短いサイクリックプレフィックス、短いガード時間、および短い持続時間を備える、Ｃ１に記載の方法。
［Ｃ１２］
前記ランダムアクセスチャネルフォーマットが、長いサイクリックプレフィックス、短いガード時間、および短い持続時間を備える、Ｃ１に記載の方法。
［Ｃ１３］
前記ランダムアクセスチャネルフォーマットが、長いサイクリックプレフィックス、長いガード時間、および短い持続時間を備える、Ｃ１に記載の方法。
［Ｃ１４］
前記ランダムアクセスチャネルフォーマットが、長いサイクリックプレフィックス、長いガード時間、および長い持続時間を備える、Ｃ１に記載の方法。
［Ｃ１５］
前記ランダムアクセスチャネルフォーマットが、短いサイクリックプレフィックス、短いガード時間、および長い持続時間を備える、Ｃ１に記載の方法。
［Ｃ１６］
少なくとも１つのプロセッサを備えるワイヤレス通信装置であって、前記少なくとも１つのプロセッサが、
前記ワイヤレス通信装置と基地局との間の無線リンクの特性を測定して測定値を生成し、
前記測定値に従って、構成のセットからランダムアクセスチャネルフォーマットを選択する
ように構成される、ワイヤレス通信装置。
［Ｃ１７］
前記少なくとも１つのプロセッサが、前記基地局から閾値のセットを受信するようにさらに構成され、前記閾値のセットが、測定される前記無線リンクの前記特性に関連した１つまたは複数の値を含む、Ｃ１６に記載のワイヤレス通信装置。
［Ｃ１８］
前記少なくとも１つのプロセッサが、さらに、
前記基地局から、利用可能なランダムアクセスチャネル構成と閾値とを指定するシステム情報ブロックを受信し、
指定された前記利用可能なランダムアクセスチャネル構成から前記構成のセットを生成し、
指定された前記閾値から前記閾値のセットを生成する
ように構成される、Ｃ１７に記載のワイヤレス通信装置。
［Ｃ１９］
前記少なくとも１つのプロセッサが、さらに、
前記測定値を前記閾値のセットと比較し、
前記閾値のセットからの閾値の順序付けられたリスト内の、前記測定値の位置を特定する
ように構成される、Ｃ１７に記載のワイヤレス通信装置。
［Ｃ２０］
前記少なくとも１つのプロセッサが、さらに、ランダムアクセスが起こっているコンポーネントキャリアを特定するように構成され、前記無線リンクの前記特性および前記構成のセットが、特定された前記コンポーネントキャリアにユニークである、Ｃ１６に記載のワイヤレス通信装置。
［Ｃ２１］
前記少なくとも１つのプロセッサが、さらに、
前記測定値を前記基地局に送信し、
前記ランダムアクセスチャネルフォーマットを指定する明確なインジケーションを受信する
ようにさらに構成される、Ｃ１６に記載のワイヤレス通信装置。
［Ｃ２２］
前記少なくとも１つのプロセッサが、さらに、ランダムアクセスプリアンブルをリソースのセットで前記基地局に送信するように構成され、前記ランダムアクセスプリアンブルが、選択された前記ランダムアクセスチャネルフォーマットに従って構築され、前記リソースのセットが、選択された前記ランダムアクセスチャネルフォーマットとユニークに関連している、Ｃ１６に記載のワイヤレス通信装置。
［Ｃ２３］
装置であって、
前記装置と基地局との間の無線リンクの特性を測定して測定値を生成するための手段と、
前記測定値に従って、構成のセットからランダムアクセスチャネルフォーマットを選択するための手段と
を備える装置。
［Ｃ２４］
前記基地局から情報を受信するための手段をさらに備え、前記受信するための手段が、前記基地局から閾値のセットを取得し、前記閾値のセットが、測定される前記無線リンクの前記特性に関連した１つまたは複数の値を含む、Ｃ２３に記載の装置。
［Ｃ２５］
前記受信するための手段が、利用可能なランダムアクセスチャネル構成と閾値とを指定するシステム情報ブロックを、前記基地局から取得する、Ｃ２４に記載の装置であって、
前記システム情報ブロックを評価するための手段をさらに備え、前記評価するための手段が、指定された前記利用可能なランダムアクセスチャネル構成から前記構成のセットを生成し、指定された前記閾値から前記閾値のセットを生成する、装置。
［Ｃ２６］
前記測定値を前記閾値のセットと比較するための手段をさらに備える、Ｃ２４に記載の装置。
［Ｃ２７］
ランダムアクセスが起こっているコンポーネントキャリアを特定するための手段をさらに備え、前記無線リンクの前記特性および前記構成のセットが、特定された前記コンポーネントキャリアにユニークである、Ｃ２３に記載の装置。
［Ｃ２８］
情報を前記基地局に送信するための手段であって、前記送信するための手段が、前記測定値を前記基地局に搬送する、手段と、
情報を前記基地局から受信するための手段であって、前記受信するための手段が、前記ランダムアクセスチャネルフォーマットを指定する明確なインジケーションを取得する、手段と
をさらに備える、Ｃ２３に記載の装置。
［Ｃ２９］
情報を前記基地局に送信するための手段をさらに備え、前記送信するための手段が、ランダムアクセスプリアンブルをリソースのセットで前記基地局に送信し、前記ランダムアクセスプリアンブルが、選択された前記ランダムアクセスチャネルフォーマットに従って構築され、前記リソースのセットが、選択された前記ランダムアクセスチャネルフォーマットとユニークに関連している、Ｃ２３に記載の装置。
［Ｃ３０］
コンピュータ可読媒体を備えるコンピュータプログラム製品であって、前記コンピュータ可読媒体が、
少なくとも１つのコンピュータに、モバイルデバイスと基地局との間の無線リンクの特性を測定させて測定値を生成させるためのコードと、
前記少なくとも１つのコンピュータに、前記測定値に従って、構成のセットからランダムアクセスチャネルフォーマットを選択させるためのコードと
を備える、コンピュータプログラム製品。
［Ｃ３１］
前記コンピュータ可読媒体が、前記少なくとも１つのコンピュータに、前記基地局から閾値のセットを受信させるためのコードをさらに備え、前記閾値のセットが、測定される前記無線リンクの前記特性に関連した１つまたは複数の値を含む、Ｃ３０に記載のコンピュータプログラム製品。
［Ｃ３２］
前記コンピュータ可読媒体が、さらに、
前記少なくとも１つのコンピュータに、利用可能なランダムアクセスチャネル構成と閾値とを指定するシステム情報ブロックを前記基地局から受信させるためのコードと、
前記少なくとも１つのコンピュータに、指定された前記利用可能なランダムアクセスチャネル構成から前記構成のセットを生成させるためのコードと、
前記少なくとも１つのコンピュータに、指定された前記閾値から前記閾値のセットを生成させるためのコードと
を備える、Ｃ３１に記載のコンピュータプログラム製品。
［Ｃ３３］
前記コンピュータ可読媒体が、さらに、
前記少なくとも１つのコンピュータに、前記測定値を前記閾値のセットと比較させるためのコードと、
前記少なくとも１つのコンピュータに、前記閾値のセットからの閾値の順序付けられたリスト内の、前記測定値の位置を特定させるためのコードと
を備える、Ｃ３１に記載のコンピュータプログラム製品。
［Ｃ３４］
前記コンピュータ可読媒体が、前記少なくとも１つのコンピュータに、ランダムアクセスが起こっているコンポーネントキャリアを特定させるためのコードをさらに備え、前記無線リンクの前記特性および前記構成のセットが、特定された前記コンポーネントキャリアにユニークである、Ｃ３０に記載のコンピュータプログラム製品。
［Ｃ３５］
前記コンピュータ可読媒体が、さらに、
前記少なくとも１つのコンピュータに、前記測定値を前記基地局に送信させるためのコードと、
前記少なくとも１つのコンピュータに、前記ランダムアクセスチャネルフォーマットを指定する明確なインジケーションを受信させるためのコードと
を備える、Ｃ３０に記載のコンピュータプログラム製品。
［Ｃ３６］
前記コンピュータ可読媒体が、前記少なくとも１つのコンピュータにランダムアクセスプリアンブルをリソースのセットで前記基地局に送信させるためのコードをさらに備え、前記ランダムアクセスプリアンブルが、選択された前記ランダムアクセスチャネルフォーマットに従って構築され、前記リソースのセットが、選択された前記ランダムアクセスチャネルフォーマットとユニークに関連している、Ｃ３０に記載のコンピュータプログラム製品。
［Ｃ３７］
装置であって、
推定値を生成する測定モジュールであって、前記推定値が、前記装置と基地局との間の無線リンクの少なくとも１つの特性に関係する、測定モジュールと、
前記推定値に少なくとも一部基づいてランダムアクセスチャネルフォーマットを選択し、選択された前記ランダムアクセスチャネルフォーマットを使用してランダムアクセスプリアンブルを前記基地局に送信する、ランダムアクセスモジュールと
を備える装置。
［Ｃ３８］
前記基地局から受信されるシステム情報ブロックを評価するシステム情報モジュールと、
前記システム情報ブロックから抽出される、構成のセットと閾値のセットとを格納するためのメモリと
をさらに備える、Ｃ３７に記載の装置。
［Ｃ３９］
前記メモリが、前記装置がそれについて使用するように構成された各コンポーネントキャリアに関する閾値の種々異なるセットと構成の種々異なるセットとを格納する、Ｃ３８に記載の装置。
［Ｃ４０］
前記推定値を閾値のセットと比較する比較モジュールと、
前記比較モジュールからの結果に少なくとも一部基づいて、構成のセットから前記ランダムアクセスチャネルフォーマットを特定する選択モジュールと
をさらに備える、Ｃ３７に記載の装置。
【図１】
0005619895.tif 000002
【図２】
0005619895.tif 000003
【図３】
0005619895.tif 000004
【図４】
0005619895.tif 000005
【図５】
0005619895.tif 000006
【図６】
0005619895.tif 000007
【図７】
0005619895.tif 000008
【図８】
0005619895.tif 000009
【図９】
0005619895.tif 000010
【図１０】
0005619895.tif 000011
【図１１】
0005619895.tif 000012
【図１２】
0005619895.tif 000013
【図１３】
0005619895.tif 000014
【図１４】
0005619895.tif 000015
【図１５】
0005619895.tif 000016
【図１６】
0005619895.tif 000017